(57)【要約】【課題】  本発明は、車載装置及びコンテンツ提供方法に関し、例えばナビゲーション装置の機能とビデオの再生機能とを有するマルチメディア端末に適用して、ナビゲーション機能、ビデオの再生機能を有する機器等に関して、ユーザーによる使い勝手を向上することができるようにする。【解決手段】  本発明は、ソース切り換えの操作子１３Ｐ、１３Ｒによっても地図の表示からソースの表示に表示を切り換える。また上位階層と下位階層とのメニューを同時に表示してタッチパネル、リモートコマンダーによる操作を受け付ける。また押圧操作可能な主の回転操作子に加えて、押圧操作可能な副の回転操作子を側面に設け、主の回転操作子により受け付ける操作のうち、コンテンツの処理に係る特定の操作だけこの副の回転操作子で操作を受け付ける。【選択図】        図１３
2005098831.tif 000002
【特許請求の範囲】
【請求項１】
少なくともナビゲーションに係る地図と複数のソースによる映像コンテンツとを表示する車載装置において、
前記地図を表示した状態で、前記ソースを切り換えるソースの操作子が操作されると、前記地図の表示を前記映像コンテンツの表示に切り換え、
前記映像コンテンツを表示した状態で、前記ソースの操作子が操作されると、前記複数のソースで再生対象のソースを順次循環的に切り換えて、前記映像コンテンツの表示を切り換え、
前記映像コンテンツを表示した状態で、前記地図の表示を指示する地図の操作子が操作されると、映像コンテンツの表示を前記地図の表示に切り換え、
前記地図を表示した状態で、前記地図の操作子が操作されると、前記地図の表示を前記映像コンテンツの表示に切り換える
ことを特徴とする車載装置。
【請求項２】
表示切り換えの操作子の操作により、前記地図の表示と、前記映像コンテンツの表示と、前記地図の表示と前記映像コンテンツの表示とを並べて表示した２画面表示とを順次循環的に切り換える
ことを特徴とする請求項１に記載の車載装置。
【請求項３】
前記２画面表示における前記地図を表示する領域の大きさ及び又は前記映像コンテンツを表示する領域の大きさの設定を受け付け、
前記設定により前記２画面表示を形成する
ことを特徴とする請求項２に記載の車載装置。
【請求項４】
前記設定を、前記ソース毎に受け付け、
各ソース毎に、対応する設定により前記２画面表示を形成する
ことを特徴とする請求項３に記載の車載装置。
【請求項５】
前記ソース毎に、直前の表示が前記２画面表示か否か記録して保持し、
前記ソースの操作子の操作による各ソースの表示において、該記録に基づいて、前記映像コンテンツ又は前記２画面表示を選択的に表示する
ことを特徴とする請求項４に記載の車載装置。
【請求項６】
タッチパネルの操作とリモートコマンダーの操作とにより、階層構造によるメニューの選択を受け付けてコンテンツを提供する車載装置において、
前記リモートコマンダーは、
同一階層に係るメニューでフォーカスを切り換えるフォーカス切り換えの操作子と、
上位階層へのフォーカスの切り換えを指示する上位階層への操作子と、
フォーカスされたメニューの選択を指示する選択の操作子とを有し、
前記車載装置は、
前記階層構造によるメニューに係る上位階層のメニューと、前記上位階層のメニューにおける選択に対応する下位階層のメニューとを同時に表示し、
前記タッチパネルの操作については、
同時に表示してなる前記上位階層のメニューと前記下位階層のメニューとの何れのメニューについても選択を受け付け、
前記上位階層のメニューの選択により、前記下位階層のメニューの表示を、選択された前記上位階層のメニューに対応するメニューの表示に切り換え、
前記リモートコマンダーの操作については、
前記上位階層への操作子の操作により前記下位階層から対応する上位階層のメニューにフォーカスを切り換えた後、前記フォーカス切り換えの操作子の操作により前記上位階層のメニューでフォーカスを切り換え、
前記選択の操作子の操作により、前記下位階層のメニューの表示を、フォーカスされている前記上位階層のメニューに対応するメニューの表示に切り換える
ことを特徴とする車載装置。
【請求項７】
前記上位階層又は下位階層のメニューを表示可能領域に表示しきれない場合、スクロースを指示するメニューを併せて表示し、
前記タッチパネルの操作については、
前記スクロースを指示するメニューの操作により、前記表示しきれないメニューをスクロールにより表示し、
前記リモートコマンダーの操作については、
前記フォーカス切り換えの操作子の操作により、前記表示しきれないメニューをスクロールにより表示する
ことを特徴とする請求項６に記載の車載装置。
【請求項８】
前記フォーカス切り換えの操作子及び選択の操作子が、押圧操作可能な回転操作子であり、
前記フォーカス切り換えの操作子による操作が、前記回転操作子の回転操作であり、
前記選択の操作子による操作が、前記回転操作子の押圧操作である
ことを特徴とする請求項６に記載の車載装置。
【請求項９】
少なくともナビゲーションの機能と、コンテンツを提供する機能とを有し、リモートコマンダーの操作により動作を切り換える車載装置において、
前記リモートコマンダーは、
主の操作面に、少なくとも押圧操作可能な主の回転操作子と、前記主の回転操作子により設定された状態より元の状態への戻りを指示する主の戻るの操作子とを有し、
前記主の操作面の側面に、少なくとも押圧操作可能な副の回転操作子と、前記副の回転操作子により設定された状態より元の状態への戻りを指示する副の戻るの操作子とを有し、
前記車載装置は、
前記ナビゲーションの機能と、前記コンテンツを提供する機能との動作の切り換えに係るメニューを表示して、前記主の回転操作子、前記主の戻るの操作子による操作を受け付け、
前記主の回転操作子、前記主の戻るの操作子により受け付ける操作のうち、前記コンテンツの提供に係る操作を、前記副の回転操作子、前記副の戻るの操作子による操作によっても受け付ける
ことを特徴とする車載装置。
【請求項１０】
前記コンテンツが音楽コンテンツであり、
前記副の回転操作子による操作により、前記ユーザーに提供する音楽コンテンツを切り換える
ことを特徴する請求項９に記載の車載装置。
【請求項１１】
前記副の回転操作子における押圧操作により、前記ユーザーに提供可能な音楽コンテンツのリストを表示し、
前記リストを表示した状態で、前記副の回転操作子における回転操作により前記リストでフォーカスを切り換え、前記副の回転操作子における押圧操作により前記フォーカスによる音楽コンテンツを前記ユーザーに提供する
ことを特徴する請求項１０に記載の車載装置。
【請求項１２】
少なくともナビゲーションに係る地図と、複数のソースによる映像コンテンツとを表示する装置におけるコンテンツ提供方法において、
前記地図を表示した状態で、前記ソースを切り換えるソースの操作子が操作されると、前記地図の表示を前記映像コンテンツの表示に切り換え、
前記映像コンテンツを表示した状態で、前記ソースの操作子が操作されると、前記複数のソースで再生対象のソースを順次循環的に切り換えて、前記映像コンテンツの表示を切り換え、
前記映像コンテンツを表示した状態で、前記地図の表示を指示する地図の操作子が操作されると、前記映像コンテンツの表示を前記地図の表示に切り換え、
前記地図を表示した状態で、前記地図の操作子が操作されると、前記地図の表示を前記映像コンテンツの表示に切り換える
ことを特徴とするコンテンツ提供方法。
【請求項１３】
タッチパネルの操作とリモートコマンダーの操作とにより、階層構造によるメニューの選択を受け付けてコンテンツを提供するコンテンツ提供方法において、
前記リモートコマンダーは、
同一階層に係るメニューでフォーカスを切り換えるフォーカス切り換えの操作子と、
上位階層へのフォーカスの切り換えを指示する上位階層への操作子と、
フォーカスされたメニューの選択を指示する選択の操作子とを有し、
前記コンテンツ提供方法は、
前記階層構造によるメニューに係る上位階層のメニューと、前記上位階層のメニューにおける選択に対応する下位階層のメニューとを同時に表示し、
前記タッチパネルの操作については、
同時に表示してなる前記上位階層のメニューと前記下位階層のメニューとの何れのメニューについても選択を受け付け、
前記上位階層のメニューの選択により、前記下位階層のメニューの表示を、選択された前記上位階層のメニューに対応するメニューの表示に切り換え、
前記リモートコマンダーの操作については、
前記上位階層への操作子の操作により前記下位階層から対応する上位階層のメニューにフォーカスを切り換えた後、前記フォーカス切り換えの操作子の操作により前記上位階層のメニューでフォーカスを切り換え、
前記選択の操作子の操作により、前記下位階層のメニューの表示を、フォーカスされている前記上位階層のメニューに対応するメニューの表示に切り換える、
ことを特徴とするコンテンツ提供方法。
【請求項１４】
少なくともナビゲーションの機能と、コンテンツを提供する機能とを有し、リモートコマンダーの操作により動作を切り換える装置におけるコンテンツ提供方法において、
前記リモートコマンダーは、
主の操作面に、少なくとも押圧操作可能な主の回転操作子と、前記主の回転操作子により設定された状態より元の状態への戻りを指示する主の戻るの操作子とを有し、
前記主の操作面の側面に、少なくとも押圧操作可能な副の回転操作子と、前記副の回転操作子により設定された状態より元の状態への戻りを指示する副の戻るの操作子とを有し、
前記コンテンツ提供方法は、
前記ナビゲーションの機能と、前記コンテンツを提供する機能との動作の切り換えに係るメニューを表示して、前記主の回転操作子、前記主の戻るの操作子による操作を受け付け、
前記主の回転操作子、前記主の戻るの操作子により受け付ける操作のうち、前記コンテンツの提供に係る操作を、前記副の回転操作子、前記副の戻るの操作子による操作によっても受け付ける
ことを特徴とするコンテンツ提供方法。
【発明の詳細な説明】
【技術分野】
【０００１】
本発明は、車載装置及びコンテンツ提供方法に関し、例えばナビゲーション装置の機能とビデオの再生機能とを有するマルチメディア端末に適用することができる。本発明は、ソース切り換えの操作子の操作によっても地図の表示からソースの表示に表示を切り換えることにより、または上位階層と下位階層とのメニューを同時に表示してタッチパネル、リモートコマンダーによる操作を受け付けることにより、または押圧操作可能な主の回転操作子に加えて、押圧操作可能な副の回転操作子を側面に設け、主の回転操作子により受け付ける操作のうち、コンテンツの処理に係る特定の操作だけこの副の回転操作子で操作を受け付けることにより、ナビゲーション機能、ビデオの再生機能を有する機器等に関して、ユーザーによる使い勝手を向上することができるようにする。
【背景技術】
【０００２】
従来、車載装置であるカーナビゲーション装置においては、例えば特開平１０−１４１９７４号公報に開示の手法を適用して階層構造によりメニューを表示し、タッチパネルによりこのメニューの選択を受け付けてユーザーによる操作を受け付けるようになされている。カーナビゲーション装置においては、このような階層構造によるメニューの選択をリモートコマンダーの操作によっても受け付けることができるようになされており、これによりタッチパネルによる操作を主体として、リモートコマンダーによっても操作できるようになされている。
【０００３】
またテレビジョン受像機等のビデオに係るモニタ装置においては、操作パネルに設けられた操作子の操作により、またリモートコマンダーの操作により、表示対象の切り換え等を受け付けるようになされている。
【０００４】
これに対して近年、このようなナビゲーション機能、ビデオの再生機能を有する車載装置が提案されるようになされており、このような車載装置においても、タッチパネルの操作により、またリモートコマンダーの操作により、ユーザーによる各種操作を受け付けることが考えられる。
【０００５】
しかしながらこのような車載装置においては、単に、従来のカーナビゲーション装置、モニタ装置に係るユーザーインターフェースを統合しただけでは、使い勝手が悪くなる問題がある。
【０００６】
しかしてタッチパネルによる操作にあっては、多数のメニューを表示した状態で所望するメニューを選択することができることにより、迅速に所望するメニューを選択することができる長所がある。しかしながら操作する際に、画面へ視線を移動させてメニューを注視することが必要なことにより、車載装置に適用した場合には安全面で注意を要する欠点がある。
【０００７】
これに対してリモートコマンダーの操作においては、リモートコマンダーの各操作子にそれぞれ専用の機能を割り当てることにより、ブラインドタッチで操作することができ、これによりカーオーディオ装置に適用した場合にはタッチパネルによる操作に比して操作に係る負担を軽減することができる。しかしながらカーナビゲーション装置のように、階層構造によるメニューの選択にあっては、結局、タッチパネルの操作に係る表示を辿って操作することが必要になり、この場合、タッチパネルの操作による操作に比して、操作性が著しく劣化する欠点がある。
【特許文献１】特開平１０−１４１９７４号公報
【発明の開示】
【発明が解決しようとする課題】
【０００８】
本発明は以上の点を考慮してなされたもので、ナビゲーション機能、ビデオの再生機能を有する機器等に関して、ユーザーによる使い勝手を向上することができる車載装置及びコンテンツ提供方法を提案しようとするものである。
【課題を解決するための手段】
【０００９】
かかる課題を解決するため請求項１の発明においては、少なくともナビゲーションに係る地図と、複数のソースによる映像コンテンツを表示する車載装置に適用して、地図を表示した状態で、ソースを切り換えるソースの操作子が操作されると、地図の表示を映像コンテンツの表示に切り換え、映像コンテンツを表示した状態で、地図の表示を指示する地図の操作子が操作されると、映像コンテンツの表示を地図の表示に切り換え、地図を表示した状態で、地図の操作子が操作されると、地図の表示を映像コンテンツの表示に切り換える。
【００１０】
また請求項６の発明においては、タッチパネルの操作とリモートコマンダーの操作とにより、階層構造によるメニューの選択を受け付けてコンテンツを提供する車載装置に適用して、階層構造によるメニューに係る上位階層のメニューと、上位階層のメニューにおける選択に対応する下位階層のメニューとを同時に表示し、タッチパネルの操作については、同時に表示してなる上位階層のメニューと下位階層のメニューとの何れのメニューについても選択を受け付け、上位階層のメニューの選択により、下位階層のメニューの表示を、選択された上位階層のメニューに対応するメニューの表示に切り換え、リモートコマンダーの操作については、上位階層への操作子の操作により下位階層から対応する上位階層のメニューにフォーカスを切り換えた後、フォーカス切り換えの操作子の操作により上位階層のメニューでフォーカスを切り換え、選択の操作子の操作により、下位階層のメニューの表示を、フォーカスされている上位階層のメニューに対応するメニューの表示に切り換える。
【００１１】
また請求項９の発明においては、少なくともナビゲーションの機能と、コンテンツを提供する機能とを有し、リモートコマンダーの操作により動作を切り換える車載装置に適用して、ナビゲーションの機能と、コンテンツを提供する機能との動作の切り換えに係るメニューを表示して、主の回転操作子、主の戻るの操作子による操作を受け付け、主の回転操作子、主の戻るの操作子により受け付ける操作のうち、コンテンツの提供に係る操作を、副の回転操作子、副の戻るの操作子による操作によっても受け付ける。
【００１２】
また請求項１２の発明においては、少なくともナビゲーションに係る地図と、複数のソースによる映像コンテンツとを表示する装置におけるコンテンツ提供方法において、地図を表示した状態で、ソースを切り換えるソースの操作子が操作されると、地図の表示を映像コンテンツの表示に切り換え、映像コンテンツを表示した状態で、地図の表示を指示する地図の操作子が操作されると、映像コンテンツの再生による表示を地図の表示に切り換え、地図を表示した状態で、地図の操作子が操作されると、地図の表示を映像コンテンツの表示に切り換える。
【００１３】
また請求項１３の発明においては、タッチパネルの操作とリモートコマンダーの操作とにより、階層構造によるメニューの選択を受け付けてコンテンツを提供するコンテンツ提供方法に適用して、階層構造によるメニューに係る上位階層のメニューと、上位階層のメニューにおける選択に対応する下位階層のメニューとを同時に表示し、タッチパネルの操作については、同時に表示してなる上位階層のメニューと下位階層のメニューとの何れのメニューについても選択を受け付け、上位階層のメニューの選択により、下位階層のメニューの表示を、選択された上位階層のメニューに対応するメニューの表示に切り換え、リモートコマンダーの操作については、上位階層への操作子の操作により下位階層から対応する上位階層のメニューにフォーカスを切り換えた後、フォーカス切り換えの操作子の操作により上位階層のメニューでフォーカスを切り換え、選択の操作子の操作により、下位階層のメニューの表示を、フォーカスされている上位階層のメニューに対応するメニューの表示に切り換える。
【００１４】
また請求項１４の発明においては、少なくともナビゲーションの機能と、コンテンツを提供する機能とを有し、リモートコマンダーの操作により動作を切り換える装置におけるコンテンツ提供方法に適用して、ナビゲーションの機能と、コンテンツを提供する機能との動作の切り換えに係るメニューを表示して、主の回転操作子、主の戻るの操作子による操作を受け付け、主の回転操作子、主の戻るの操作子により受け付ける操作のうち、コンテンツの提供に係る操作を、副の回転操作子、副の戻るの操作子による操作によっても受け付ける。
【００１５】
請求項１の構成により、少なくともナビゲーションに係る地図と、複数のソースによる映像コンテンツとを表示する機能とを有する車載装置に適用して、地図を表示した状態で、ソースを切り換えるソースの操作子が操作されると、地図の表示を映像コンテンツの表示に切り換えれば、地図表示からコンテンツ表示に動作を切り換える場合にあっても、ソースを切り換える場合と同様にして表示を切り換えることができる。また映像コンテンツを表示した状態で、地図の表示を指示する地図の操作子が操作されると、映像コンテンツの表示を地図の表示に切り換え、地図を表示した状態で、地図の操作子が操作されると、地図の表示を映像コンテンツの表示に切り換えれば、地図の操作子により地図の表示を切り換える際に、この操作子の操作によっても地図の表示からソースの表示に切り換えることができる。これによりソースの切り換えに係るソースの操作子の操作と、地図表示を指示する地図の操作子の操作とで、ソースと地図との間で表示を切り換えることができ、その分、タッチパネルとリモートコマンダーとによる操作により操作を受け付ける場合等にあっても、ユーザーの煩雑さを解消して操作性を向上し、いわばブラインドタッチによっても表示を切り換えることができ、これらによりユーザーによる使い勝手を向上することができる。
【００１６】
また請求項６の構成により、タッチパネルの操作とリモートコマンダーの操作とにより、階層構造によるメニューの選択を受け付けてコンテンツを提供する車載装置に適用して、階層構造によるメニューに係る上位階層のメニューと、上位階層のメニューにおける選択に対応する下位階層のメニューとを同時に表示し、タッチパネルの操作については、同時に表示してなる上位階層のメニューと下位階層のメニューとの何れのメニューについても選択を受け付け、上位階層のメニューの選択により、下位階層のメニューの表示を、選択された上位階層のメニューに対応するメニューの表示に切り換えるようにすれば、タッチパネルの操作において、階層構造によるメニューの中から所望するメニューを迅速かつ確実に操作することができる。またリモートコマンダーの操作については、上位階層への操作子の操作により下位階層から対応する上位階層のメニューにフォーカスを切り換えた後、フォーカス切り換えの操作子の操作により上位階層のメニューでフォーカスを切り換え、選択の操作子の操作により、下位階層のメニューの表示を、フォーカスされている上位階層のメニューに対応するメニューの表示に切り換えることにより、リモートコマンダーによる操作においては、複数種類の操作子の操作により階層構造を辿るようにフォーカスを切り換えて所望するメニューを確実に選択することができる。これらによりタッチパネルによる操作にも適し、かつリモートコマンダーによる操作にも適してなるメニューの表示によりタッチパネル、リモートコマンダーによるユーザーの操作を受け付けることができ、その分、ユーザーによる使い勝手を向上することができる。
【００１７】
また請求項９の構成によれば、少なくともナビゲーションの機能と、コンテンツを提供する機能とを有し、リモートコマンダーの操作により動作を切り換える車載装置に適用して、ナビゲーションの機能と、コンテンツを提供する機能との動作の切り換えに係るメニューを表示して、主の回転操作子、主の戻るの操作子による操作を受け付け、主の回転操作子、主の戻るの操作子により受け付ける操作のうち、コンテンツの提供に係る操作を、副の回転操作子、副の戻るの操作子による操作によっても受け付けることにより、主の回転操作子側に割り当てられている操作のうち、ブラインドタッチに適した操作については、副の回転操作子側でも操作することができる。これにより特定の操作については、副の回転操作子側により操作できるようにし得、その分、タッチパネルとリモートコマンダーとによる操作により操作を受け付ける場合等にあっても、ユーザーの煩雑さを解消して操作性を向上し、ユーザーによる使い勝手を向上することができる。
【００１８】
これらにより請求項１２、請求項１３、請求項１４の構成によれば、ユーザーによる使い勝手を向上することができるコンテンツ提供方法を提供することができる。
【発明の効果】
【００１９】
本発明によれば、例えばナビゲーション機能、ビデオの再生機能を有する機器等に関して、ユーザーによる使い勝手を向上することができる。
【発明を実施するための最良の形態】
【００２０】
以下、適宜図面を参照しながら本発明の実施例を詳述する。
【実施例１】
【００２１】
（１）実施例の構成
（１−１）車載装置の全体構成
図１は、本発明の実施例に係る車載装置１に係るコンテンツ提供システムを示す斜視図である。この車載装置１は、ナビゲーション装置の機能と、オーディオ、ビデオを再生するコンテンツ提供装置の機能とを有するマルチメディア端末であり、所定厚みによる板形状により形成され、矢印Ａにより示すように、車両のセンタコンソールに設けられた車載用クレードル２Ａにセットして使用できるようになされている。
【００２２】
このためこの車載装置１においては、下側端面に各種データの入出力に係る端子等が設けられ、車載用クレードル２Ａにセットした場合には、この下側端面の端子により車載用クレードル２Ａに接続されて電源の供給等を受け、さらに動作に必要な各種のデータ等を入出力できるようになされている。
【００２３】
また車載装置１は、この車載用クレードル２Ａから取り外して持ち帰り、矢印Ｂにより示すように、例えば家庭に設けられた家庭用クレードル２Ｂにセットすることにより、この家庭用クレードル２Ｂを介してコンピュータ３、テレビジョン受像機４に接続できるように構成される。
【００２４】
車載装置１は、このような家庭用クレードル２Ｂを介したコンピュータ３との接続においては、マルチメディア端末としての動作に必要な各種ファイルのアップロード、ダウンロードに供される。このためコンピュータ３においては、この車載装置１に対応するアプリケーションプログラムの起動により、家庭用クレードル２Ｂを介してコンピュータ３に保持された所定のファイルを車載装置１にアップロードし、またこれとは逆に車載装置１から所定のファイルをダウンロードできるようになされている。この車載装置１においては、このようなアップロード、ダウンロードに供するファイルとして、ＡＶコンテンツに係るファイル、電子メール、ナビゲーションに供する地図のファイルが適用され、さらにＡＶコンテンツに係るファイルとしては、映画、テレビ番組等のファイル、音楽ファイルが適用されるようになされている。
【００２５】
これに対して家庭用クレードル２Ｂを介したテレビジョン受像機４との接続においては、マルチメディア端末として各種コンテンツをテレビジョン受像機４を介してユーザーに提供できるようになされ、さらにはテレビジョン受像機４に地図を表示してナビゲーションの機能に係るルート検索等の処理を実行できるようになされている。
【００２６】
これらのためこの車載装置１は、車載時にコンテンツ等を表示する表示画面１１が正面に形成され、この表示画面１１の右側、上方に電源スイッチ１２が設けられる。またこの電源スイッチ１２とは逆側の操作パネルに、上方より、順次、ソース、プログラム、メニュー、ディスプレイ、地図、音量の操作子１３Ｐ〜１８Ｐが設けられるようになされている。
【００２７】
図２は、この車載装置１を関連する構成と共に示すブロック図である。車載装置１は、車載用クレードル２Ａを介して、外部ユニット２１に接続される。ここでこの外部ユニット２１は、例えば座席の下に設けられ、チュナー部２３、光ディスクドライブ２４等が設けられる。
【００２８】
ここでチュナー部２３は、車載装置１の制御により、テレビジョン放送波、道路交通情報通信システム（ＶＩＣＳ： Vehicle Information and Communication System ）に係る交通情報を受信し、受信結果に係るビデオデータ、オーディオデータ、交通情報を車載用クレードル２Ａに出力する。これによりこの車載装置１では、車載用クレードル２Ａにセットして、テレビジョン放送を楽しむことができるようになされ、また交通情報を取得してユーザーに通知できるようになされている。
【００２９】
光ディスクドライブ２４は、同様の車載装置１の制御により、ＤＶＤ（Digital Versatile Disk）、コンパクトディスク等の光ディスクを再生してビデオデータ、オーディオデータを車載用クレードル２Ａに出力する。これによりこの車載装置１は、車載用クレードル２Ａにセットして、ＡＵＸ入力により各種光ディスクによるＡＶコンテンツを楽しむことができるようになされている。
【００３０】
これに対して車載用クレードル２Ａは、ＧＰＳ部２２、オーディオの出力部２７が設けられる。ここでＧＰＳ部２２は、ＧＰＳ（Global Positioning System ）に係る現在位置検出装置であり、車載装置１の制御により、現在位置を検出して出力する。これにより車載装置１では、車載用クレードル２Ａにセットした場合には、このＧＰＳ部２２で検出される現在位置の情報によりナビゲーションの処理を実行できるようになされている。
【００３１】
出力部２７は、この車載装置１からオーディオデータ、音声データを取得し、これらデータをアナログ信号に変換してＦＭ放送波により、さらには外部出力端子を介して出力する。これにより車載装置１においては、車載用クレードル２Ａにセットされた場合には、この出力部２７からの有線、無線によるオーディオ出力によりこの車載装置１が搭載されている車両のカーオーディオ装置２８にオーディオ信号、音声信号を出力し、このカーオーディオ装置２８を介してオーディオ信号及び音声信号を出力するようになされている。
【００３２】
なお家庭用クレードル２Ｂにおいては、同様の出力部が設けられ、このようなオーディオ信号、音声信号、ビデオ信号を有線により出力できるように構成され、これにより車載装置１をセットしてテレビジョン受像機４により各種ＡＶコンテンツを提供できるようになされている。
【００３３】
これらにより車載装置１では、車載用クレードル２Ａへのセットによりこの車載用クレードル２Ａのインターフェース２５に接続されて、このインターフェース（Ｉ／Ｆ）２５との間で外部ユニット２１に係る各種のデータを入出力するインターフェース２６が設けられるようになされている。
【００３４】
しかしてこのインターフェース２６は、コントローラ３３の制御により動作し、この車載装置１が車載用クレードル２Ａにセットされた場合、外部ユニット２１との間で種々のデータを入出力し、またこの入出力に係るデータをバスＢＵＳとの間で入出力するようになされている。これに対してこの車載装置１が家庭用クレードル２Ｂにセットされた場合、コンピュータ３との間でアップロード、ダウンロードに係るデータを入出力するようになされている。
【００３５】
また車載装置１において、インターフェース（Ｉ／Ｆ）３１は、コントローラ３３の制御により、この車載装置１の側面に設けられたカードスロットから挿入されるメモリカード３２との間で種々のデータを入出力し、またこのデータをバスＢＵＳとの間で入出力する。これにより車載装置１では、メモリカード３２を介して例えば電子スチルカメラで取得した静止画を取り込むことができるようになされ、またこれとは逆に取り込んだ静止画をメモリカード３２に記録できるようになされている。
【００３６】
通信ユニット３４は、無線通信ＬＡＮ（Local Area Network）に係る送受信装置であり、コントローラ３３の制御によりバスＢＵＳに出力されるデータをネットワークに送出し、またネットワークを介して所望するデータを取得してバスＢＵＳに出力する。これによりこの車載装置１では、この通信ユニット３４を介してインターネットに接続し、また電子メールを送受できるようになされている。
【００３７】
ハードディスク装置（ＨＤＤ）３５は、この車載装置１の処理に係るプログラム、コンテンツ等を記録して保持し、コントローラ３３の制御によりこれらのデータをバスＢＵＳに出力する。これによりハードディスク装置３５は、インターフェース２６、３１を介して外部機器から入力される各種ファイルのデータ、通信ユニット３４を介して取得した各種のデータ、これら外部機器に出力するデータ、電子メールに係るデータ等を保持し、必要に応じてバスＢＵＳに出力するようになされている。なおこのプログラムにおいては、事前のインストールにより提供されるようになされているものの、これに代えて、インターフェース２６、３１を介した記録媒体からのダウンロードにより、又は通信ユニット３４を用いたネットワークからのダウンロードによりハードディスク装置３５に記録するようにしてもよい。なおこの場合、記録媒体においては、光ディスク、メモリカード、磁気テープ等、種々の記録媒体を広く適用することができる。
【００３８】
表示部３７は、図１について上述した表示画面１１を形成する例えば液晶表示装置により構成され、コントローラ３３の制御により各種コンテンツ、地図等を表示する。
【００３９】
入力部３８は、この表示画面１１に配置されたタッチパネル３９による操作を検出するタッチパネルに係る構成、リモートコマンダー４０から出力される遠隔制御信号を受信する受信部４１、ソース、プログラム等の操作子１３Ｐ〜１８Ｐの操作を検出するインターフェースにより構成され、これらで検出されるユーザーによる操作をコントローラ３３に通知する。これによりこの車載装置１では、表示画面１１の側方に設けられた操作子１３Ｐ〜１８Ｐの操作により、表示画面１１に設けられたタッチパネル３９の操作により、さらにはリモートコマンダー４０の操作により、動作の切り換え等を実行できるようになされている。
【００４０】
（１−２）リモートコマンダー
図３は、このリモートコマンダー４０を示す平面図及び側面図である。リモートコマンダー４０は、所定厚みによる細長い板形状により形成され、その短辺側の１端面に赤外線による遠隔制御信号を出力する送光部４１が設けられる。リモートコマンダー４０は、送光部４１が設けられている側より、上側面の左側に、地図表示においてズームアウト、ズームインの切り換えに供するシーソースイッチによる操作子４２が設けられる。またこの操作子４２に近接して、押圧操作可能なポインティングディバイスであるジョイステック４３が設けられる。またジョイステック４３の右側に、上方よりディスプレイ、地図の操作子１６Ｒ、１７Ｒが設けられる。またこれらの操作子より手前側に、現在位置の表示を指示する現在位置の操作子４４が横長に形成され、これらよりリモートコマンダー４０では、ナビゲーションに係る操作子４２、４３、４４がまとめられて、地図の操作子１７Ｒの近傍に配置されるようになされている。
【００４１】
またリモートコマンダー４０は、現在位置の操作子４４のさらに手前側に、プログラム、メニューの操作子１４Ｒ、１５Ｒが設けられる。またさらに手前側の中央に、押圧操作可能な回転操作子であるジョグダイヤル４６（以下、センタジョグと呼ぶ）が設けられ、このセンタジョグ４７の左右に戻る、進むの操作子４８、４７が設けられる。しかしてこれらの操作子１４Ｒ、１５Ｒ、４６〜４８にあっては、表示画面１１に表示されたメニューに係る操作子であり、これによりこの実施例ではメニューに係る操作子がまとめられて配置されるようになされている。
【００４２】
リモートコマンダー４０は、センタジョグ４６のさらに手前に、手前側に開くカバー４９が設けられ、このカバー４９を開くとテンキー、クリア等の文字入力、数字入力に係る操作子５０を操作できるようになされている。
【００４３】
またリモートコマンダー４０は、一方の側面に、上方より、ソースの操作子１３Ｒ、押圧可能な回転操作子であるジョグダイヤル（以下、サイドジョグと呼ぶ）５２、戻るの操作子５３、ソースオフの操作子５４が設けられる。しかしてこれらの操作子１３Ｒ、５２〜５４は、オーディオビデオの再生に係る操作子であり、いわゆるブラインドタッチにより操作すると考えられる操作に係る操作子である。これによりリモートコマンダー４０は、これらの操作子１３Ｒ、５２〜５４を一方の側面にまとめて配置したことにより、使い勝手を向上するようになされている。
【００４４】
またリモートコマンダー４０は、他方の側面に、上方より、ＶＩＶＳの交通情報表示を指示するＶＩＣＳの操作子５５、音量の操作子１８Ｒが設けられるようになされている。
【００４５】
コントローラ３３は（図２）、これら操作子の操作に応動してハードディスク装置３５に記録されたプログラムを実行することにより、ユーザーの操作に応動してナビゲーションの処理を実行し、また各種コンテンツをユーザーに提供する。
【００４６】
すなわちコントローラ３３は、ユーザーによりテレビジョン放送の受信が指示されると、インターフェース２６、２５を介してチュナー部２３にテレビジョン放送の受信を指示し、またユーザーによる指示に応動して受信チャンネルの切り換えを指示する。またこのようにしてチュナー部２３で受信して得られるビデオデータ及びオーディオデータをインターフェース２６を介して入力し、ビデオデータについては表示部３７に表示する。またオーディオデータについては出力部２７を介してカーオーディオ装置２８に出力する。これによりテレビジョン放送に係るコンテンツをユーザーに提供するようになされている。
【００４７】
またユーザーによりハードディスク装置３５に記録された映像コンテンツの鑑賞が指示されると、ハードディスク装置３５に映像コンテンツに係るファイルの再生を指示し、テレビジョン放送を受信する場合と同様にハードディスク装置３５から出力されるビデオデータ及びオーディオデータをユーザーに提供する。またユーザーによりハードディスク装置３５に記録された音楽コンテンツの再生が指示されると、同様にしてハードディスク装置３５に音楽コンテンツの再生を指示し、ハードディスク装置３５から出力されるオーディオデータを出力部２７から出力する。またこれらの処理において、再生対象のコンテンツの切り換えがユーザーにより指示されると、ハードディスク装置３５から読み出すファイルを変更して同様の処理を繰り返す。
【００４８】
またユーザーにより地図の表示が指示されると、ＧＰＳ部２２から現在位置の情報を取得し、この現在位置の情報を基準にしてハードディスク装置３５に記録した地図データをロードする。またこのロードした地図データにより表示部３７で地図を表示する。
【００４９】
またＡＵＸ入力に係るコンテンツの視聴が指示されると、インターフェース２６を介して光ディスクドライブ２４の動作を制御し、光ディスクドライブ２４から出力される映像コンテンツ、音楽コンテンツに係るデータを取得する。またこの取得した映像コンテンツ、音楽コンテンツのデータを各部で処理し、これらのコンテンツをユーザーに提供する。またユーザーの指示により、このようにして得られるコンテンツをハードディスク装置３５に記録する。
【００５０】
またインターネットの閲覧が指示されると、ブラウザソフトを起動して通信ユニット３４によりインターネットに接続し、通信ユニット３４より得られる映像等を表示部３７で表示し、また音声データを出力部２７により出力する。また電子メールに係る処理が指示されると、メーラーを起動してハードディスク装置３５に保持された電子メールを表示部３７で表示し、またこのような表示に供する電子メールを通信ユニット３４を介して取得する。またユーザーによる電子メールの入力を受け付け、この電子メールを通信ユニット３４を介して送信する。
【００５１】
また静止画の閲覧が指示されると、インターフェース３１を介してメモリカード３２をアクセスすることにより、またハードディスク装置３５をアクセスすることにより、処理対象に係る静止画ファイルを取得し、この静止画ファイルに係る静止画を表示部３７で表示する。またユーザーによる指示によりこのような静止画ファイルをメモリカード３２、ハードディスク装置３５との間で入出力し、さらにはメモリカード３２、ハードディスク装置３５の記録より削除する。
【００５２】
またユーザーによりナビゲーションの処理が指示されると、ユーザーにより目的地等の入力を受け付け、またＧＰＳ部２２から現在位置の情報を取得し、これらの情報によりルート検索の処理を実行する。コントローラ３３は、このようにして検出したルートによりユーザーを道案内するように、ユーザーの設定に応じて各種の情報を出力する。
【００５３】
コントローラ３３は、ハードディスク装置３５に記録されたプログラムを実行することにより、これらの処理を実行し、ユーザーによる電源スイッチ１２の押圧操作により、この車載装置１の電源が立ち下げられると、この電源立ち下げ時の状態を記録して保持する。またこの電源スイッチ１２の操作により、又はリモートコマンダー４０におけるジョイスティック４３の押圧操作により、電源を立ち上げ、この電源の立ち上げにより、記録して保持した電源立ち下げ時の状態を再現する。
【００５４】
（１−３）コントローラによる処理
図４は、このコントローラ３３の制御により表示画面１１に表示されるタッチパネル用のプログラムメニュー画面を示す平面図である。ここでこのタッチパネル用のプログラムメニュー画面は、タッチパネル３９の操作に適したメニュー画面であり、この実施例では、このタッチパネル用のプログラムメニュー画面と同一の機能を担い、かつリモートコマンダー４０の操作に適したリモートコマンダー用のプログラムメニュー画面が用意されるようになされている。コントローラ３３は、このプログラムメニュー画面の表示を指示するユーザーによる操作が、タッチパネル３９による操作を意図したものであると判断できる場合、このタッチパネル用のプログラムメニュー画面を表示する。
【００５５】
具体的に、コントローラ３３は、この車載装置１の操作パネルに設けられたプログラムの操作子１４Ｐが操作されると、又はこのプログラムメニュー画面の下位階層に係る表示画面でタッチパネル３９により戻るのメニューが選択された場合、さらには後述するリモートコマンダー用に係るプログラムメニュー画面を表示した状態で、タッチパネル３９によりメニュー以外の部位のユーザーによる操作が検出された場合、このタッチパネル用のプログラムメニュー画面を表示する。
【００５６】
ここでこのプログラムメニュー画面は、ユーザーに提供するコンテンツ等の選択に係るメインメニュー画面であり、この車載装置１において選択可能なアプリケーションのメニューを表示して形成される。ここでプログラムメニュー画面は、テレビジョン放送の受信を指示するＴＶによるメニューＭ１、ハードディスク装置３５に記録された映像コンテンツの再生を指示するＶｉｄｅｏによるメニューＭ２、ハードディスク装置３５に記録された音楽コンテンツの再生を指示するＡｕｄｉｏによるメニューＭ３、地図表示を指示するＭａｐによるメニューＭ４、ＡＵＸ入力に係るコンテンツの再生を指示するＡＵＸによるメニューＭ５、インターネットに係るブラウザの起動を指示するＷＥＢによるメニューＭ６、電子メールに係る処理を指示するＭａｉｌによるメニューＭ７、静止画に係る処理を指示するＰｈｏｔｏによるメニューＭ８が表示される。またこのプログラムメニュー画面の直前の状態に戻るのメニューＭ１１が表示される。
【００５７】
このプログラムメニュー画面は、これらのメニューＭ１〜Ｍ１１のうち、アプリケーションの選択に係るメニューＭ１〜Ｍ１０においては、同一の大きさにより、また何れのメニューＭ１〜Ｍ８にもフォーカスを示すカーソル等を設けないで、整列して表示され、これによりこれらのメニューＭ１〜Ｍ８の何れをもタッチパネル３９の操作により選択できるように、ユーザーに知覚させるようにようになされている。これによりコントローラ３３は、このプログラムメニュー画面において、タッチパネル３９の操作により何れかのメニューＭ１〜Ｍ８が選択されると、対応する処理を実行するように全体の動作を制御する。
【００５８】
またこのプログラムメニュー画面を表示した状態で戻るのメニューＭ１１が操作されると、直前の表示に切り換える。これに対してこのプログラムメニュー画面を表示した状態で、リモートコマンダー４０のセンタジョグ４６が操作された場合、リモートコマンダー用のプログラムメニュー画面に表示を切り換える。
【００５９】
これに対して図５は、リモートコマンダー用のプログラムメニュー画面を示す平面図である。コントローラ３３は、このプログラムメニュー画面の表示を指示するユーザーによる操作が、リモートコマンダー４０による操作を意図したものであると判断できる場合、このリモートコマンダー用のプログラムメニュー画面を表示する。
【００６０】
具体的に、コントローラ３３は、コンテンツをユーザーに提供している状態等で、リモートコマンダー４０に設けられたプログラムの操作子１４Ｒが操作されると、又はこのプログラムメニュー画面の下位階層に係る表示画面を表示した状態で、リモートコマンダー４０の戻るの操作子４８が操作された場合、このリモートコマンダー用のプログラムメニュー画面を表示する。また上述したように、タッチパネル用のプログラムメニュー画面を表示した状態で、センタジョグ４６が操作された場合にも、このリモートコマンダー用のプログラムメニュー画面を表示する。
【００６１】
ここでこのリモートコマンダー用のプログラムメニュー画面においては、タッチパネル用の操作に係るプログラムメニュー画面と同様に、この車載装置１において選択可能なアプリケーションのメニューを表示して形成される。またこの各アプリケーションプログラムのメニューＭ１Ｒ〜Ｍ８Ｒが、タッチパネル３９の操作に係るプログラムメニュー画面と同一のデザインにより表示される。これによりこの車載装置１では、メニュー画面を切り換えるようにして、何れのメニュー画面においても、所望するアプリケーションを間違い無く選択できるようになされている。
【００６２】
このリモートコマンダー用のプログラムメニュー画面においては、これらのメニューＭ１Ｒ〜Ｍ８Ｒがリング状の配置により表示され、最も左端側に配置したメニューＭ１Ｒが最も大きく、この最も左側のメニューＭ１Ｒより遠ざかるに従って大きさが小さくなるように他のメニューＭ２Ｒ〜Ｍ８Ｒが表示される。またこの最も大きく表示されてなるメニューＭ１Ｒにおいては、フォーカスの設定を示す枠どりによるカーソルＫが表示される。
【００６３】
これによりコントローラ３３は、このリモートコマンダー４０の操作に係るこのプログラムメニュー画面においては、何れのアプリケーションを直ちに選択可能か否かを、選択可能な他のメニューと共に表示するようになされている。
【００６４】
しかしてコントローラ３３は、このリモートコマンダー４０の操作に係るこのプログラムメニュー画面を表示した状態で、リモートコマンダー４０に設けられたセンタジョグ４６が回転操作されると、センタジョグ４６の回転方向に対応して矢印Ａにより示すように、これらメニューＭ１Ｒ〜Ｍ８Ｒの表示位置を回転させ、またこの表示位置の回転に対応するように、各メニューＭ１Ｒ〜Ｍ８Ｒの大きさを切り換える。これによりユーザーによるリモートコマンダー４０の操作に応動してメニューのフォーカスを切り換える。またさらにセンタジョグ４６が押圧操作されると、又はリモートコマンダー４０の進むの操作子４７が操作されると、フォーカスされているメニュー（最も左側に位置してなるメニュー）に係るアプリケーションを実行するように全体の動作を制御する。
【００６５】
これによりこの車載装置１では、タッチパネル３９の操作に適したメニュー画面と、リモートコマンダー４０の操作に適したメニュー画面とで、それぞれユーザーがタッチパネル３９を操作する場合と、ユーザーがリモートコマンダー４０を操作する場合とで切り換え、ユーザーによる使い勝手を向上するようになされている。またこのようなユーザーがタッチパネル３９を操作する場合と、ユーザーがリモートコマンダー４０を操作する場合とを、このメニュー画面に遷移する際の操作により、またこれらのメニュー画面を表示した状態におけるユーザーによる操作により判断することにより、ユーザーの意図をくみ取ってユーザーの操作に適したユーザーインターフェースを提供するようになされている。
【００６６】
なおこのリモートコマンダー用のプログラムメニュー画面において、タッチパネル３９の操作によりメニューＭ１Ｒ〜Ｍ８Ｒが選択されると、このメニューＭ１Ｒ〜Ｍ８Ｒの選択にも応動して選択されたメニューに係るアプリケーションを実行するように全体の動作を制御する。これに対してメニューＭ１Ｒ〜Ｍ８Ｒ以外の部位の操作がタッチパネル３９により検出されると、タッチパネル用のプログラムメニュー画面に表示を切り換える。
【００６７】
図６（Ａ）は、このような指示により表示されるメニューＭ２に係るメイン画面を示す平面図である。コントローラ３３は、この場合、表示画面の下側、帯状の部位を除いた領域にコンテンツの画像を表示する。このときコントローラ３３は、最後に再生したこのメニューＭ２に係るファイル、このファイルの再生状態等を記録して保持し（いわゆるラストメモリである）、この記録に基づいて再生を中止した箇所より対応するコンテンツを再生してユーザーに提供する。これによりこの車載装置１では、鑑賞を中止した箇所から簡易に所望するコンテンツを鑑賞できるようになされている。
【００６８】
これに対してこの表示画面の下端には、このアプリケーションに係る各種のメニューが、表示中の画像に関連する情報と共に帯状の領域に表示される。なお、以下においては、この帯状の表示をコントロールバーと呼ぶ。具体的に、コントロールバーＢ１は、最も左側に、このアプリケーションの終了を指示し、かつ戻るのメニューを兼用するＯＦＦのメニューＭ２１が表示される。コントローラ３３は、タッチパネル３９によるこのＯＦＦのメニューＭ２１の操作によりこのアプリケーションを終了させ、タッチパネル用のプログラムメニュー画面に表示を切り換える。またコントロールバーＢ１は、続いて表示中のコンテンツの属性情報であるタイトルが表示される。ここでこのタイトルの長さが、タイトルを表示する領域の長さに比して長い場合、コントローラ３３は、スクロールによりタイトルを表示する。またコントロールバーＢ１は、続いて各種の操作メニューが右寄せにより表示される。
【００６９】
ここでこの操作メニューにおいては、巻き戻しのメニューＭ２２、次のチャプタに戻るメニューＭ２３、再生／一時停止の切り換えメニューＭ２４、次のチャプタに進むメニューＭ２５、早送りのメニューＭ２６、リスト表示のメニューＭ２７、このコントロールバーＢ１の表示／非表示の切り換えメニューＭ２８が順次表示される。コントローラ３３は、これら各メニューの操作がタッチパネル３９の操作により検出されると、それぞれこのユーザーによる操作に対応するように、各部の動作を制御する。
【００７０】
またコントローラ３３は、このようにコントロールバーＢ１を表示した状態で、リモートコマンダー４０のセンタジョグ４６が操作されると、又はリモートコマンダー４０の操作によりこのメニューＭ１に係る表示画面に表示を切り換えた場合、これらメニューＭ２１〜Ｍ２８の１つに枠取りによるカーソルを表示し、このカーソルによりフォーカスされているメニューを表示する。またセンタジョグ４６の回転操作によりこのカーソルを順次移動させることにより、順次これらのメニューＭ２１〜Ｍ２８でフォーカスを切り換える。またセンタジョグ４６の押圧操作により、さらには進むの操作子４７の操作により、フォーカスされているメニューの選択を受け付け、タッチパネル３９によるメニューの選択と同様に、各部の動作を制御する。これに対してリモートコマンダー４０で戻るの操作子４８が操作された場合、ＯＦＦのメニューＭ２１が選択された場合と同様に、プログラムメニュー画面に表示を切り換える。なおこの場合、コントローラ３３は、リモートコマンダー用のプログラムメニュー画面に表示を切り換える。
【００７１】
これらのメニューＭ２１〜Ｍ２８に係る制御において、コントローラ３３は、ユーザーがリスト表示のメニューＭ２７を選択した場合、全体の表示を図６（Ｂ）に示すリスト画面に切り換える。ここでこのリスト画面は、ユーザーにより選択可能なコンテンツ等の一覧表示であり、画面上部に、アプリケーションを特定するタイトルが表示され、このタイトルの表示の右隅に、このアプリケーションに係る各種設定を実行する設定のメニューＭ２６５が表示される。また画面左側に、順次、戻るのメニューＭ２６１、キャビネットのメニューＭ２６２、プレイリストのメニューＭ２６３、ビデオカプセルのメニューＭ２６４が設けられる。ここでキャビネットのメニューＭ２６２は、いわゆるフォルダの一覧表示を指示するメニューであり、このメニューＭ２６２の選択により右側の一覧表示に選択可能なフォルダの一覧が表示される。またプレイリストのメニューＭ２６３は、このようなフォルダの一覧等により現在選択されているフォルダについて、選択可能なコンテンツの一覧表示を指示するメニューであり、このメニューの選択により右側の一覧表示に選択可能なコンテンツの一覧が表示される。またビデオカプセルのメニューＭ２６４は、一覧表示されているコンテンツの１つについて、サムネイル画像の表示を指示するメニューである。
【００７２】
このリスト画面には、中央に、このサムネイル画像を表示する領域が設けられ、ビデオカプセルのメニューＭ２６４が選択されていない場合には、この領域に再生中のコンテンツが表示される。
【００７３】
またこのリスト画面には、このサムネイル画像の表示領域の右側に、左側に配置した上位階層のメニューＭ２６１〜Ｍ２６４に対して、対応する下位階層のメニューが表示される。具体的には、ユーザーにより選択されたメニューＭ２６１〜Ｍ２６４に対応するコンテンツ、フォルダの一覧表示が形成される。なおこのリスト画面を表示した直後においては、この一覧表示の現在再生中のコンテンツのメニューを含む一覧が表示される。ここでこの一覧表示においては、各コンテンツのタイトル、フォルダに設定した名称をメニューに表示して形成される。しかして図６（Ｂ）の例では、この一覧がプレイリストのメニューＭ２６３に係るコンテンツの一覧を表示している場合である。コントローラ３３は、この一覧の表示領域に選択可能なコンテンツ、フォルダ一覧を表示しきれない場合、この一覧表示のスクロールにより選択可能なコンテンツ、フォルダを表示し、またスクロール可能な方向をこの一覧の左側に矢印により表示する。しかして図６（Ｂ）の例では、上下方向の矢印が設けられて、表示領域を上下にはみだしてコンテンツの一覧表が存在していることが示されるようになされている。
【００７４】
またこの場合、コントローラ３３は、この一覧表示の右側に、スクロールバーＢ２を表示し、またこのスクロールバーＢ２の上下に、上下方向へのスクロールをそれぞれ指示するメニューＭＵ、ＭＤを表示する。またこのリスト画面には、画面下部に、コントロールバーＢ１が表示される。なおこの一覧においては、フォーカスされているメニューを左側に飛び出させて表示するようになされている。
【００７５】
コントローラ３３は、タッチパネル３９によるこれらメニューＭ２６１〜Ｍ２６５、コントロールバーのＢ１のメニューの選択により、ユーザーにより選択されたメニューに対応するように各部の動作を制御して一覧表示等を切り換える。すなわちタッチパネル３９の操作によりこのようにして表示してなる一覧表示の１つをユーザーが選択すると、ユーザーにより選択されたコンテンツに再生対象のコンテンツを切り換え、元の表示画面（図６（Ａ））に戻る。このときユーザーによりビデオカプセルのメニューＭ２６４が選択されている場合には、このユーザーにより選択されたコンテンツの静止画をサムネイル画像の表示領域に表示し、この表示領域におけるユーザーのタッチパネル３９の操作により、又はタッチパネル３９による再度のこのコンテンツの選択により、ユーザーにより選択されたコンテンツに再生対象のコンテンツを切り換え、元の表示画面に戻る。また同様のタッチパネル３９によるユーザーの選択に応動して、ユーザーの選択したフォルダについて、プレイリストのメニューＭ２６３の選択により、コンテンツの一覧を表示する。
【００７６】
しかしてこの表示においては、上位階層と下位階層とのメニューを同時に表示していることにより、タッチパネル３９による操作においては、上位階層、下位階層の何れのメニューにあっても、階層構造を辿ることなく、直接、選択することができる。これに対してリモートコマンダー４０による操作においては、階層構造を辿ってフォーカスを切り換えることにより、所望するメニューを選択することができ、これらによりタッチパネル３９と、リモートコマンダー４０と同一のメニュー画面をユーザーに提供してユーザーの使い勝手を向上するようになされている。
【００７７】
これらの処理において、コントローラ３３は、スクロールバーＢ２、メニューＭＵ、ＭＤの操作が検出されると、この操作により一覧表示をスクロールさせる。すなわち上方向のスクロールを指示するメニューＭＵが操作されると、一覧表示を上方向にスクロールさせる。またこれとは逆に下方向へのスクロールを指示するメニューＭＤが操作されると、一覧表示を下方向にスクロールさせる。これに対してスクロールバーＢ２については、ドラッグの操作により操作された側に一覧表示をスクロールさせる。
【００７８】
これによりこのように上位階層と下位階層とのメニューを同時に表示してメニューを表示しきれない場合でも、所望するメニューを確実に選択できるようになされている。しかして車載装置１においては、表示に供する画面の大きさが制限されることにより、コンテンツの数が多少増大しただけでも、このようにメニューを表示しきれない場合が発生し、これにより車載装置１に適用してユーザーの使い勝手を向上することができる。
【００７９】
しかしてリモートコマンダー４０による操作に関して、コントローラ３３は、このようにリスト画面を表示した状態で、リモートコマンダー４０のセンタジョグ４６が操作されると、又はリモートコマンダー４０の操作によりこのリスト画面に表示を切り換えた場合、これらメニューＭ２６１〜Ｍ２６５における背景色の切り換えによりフォーカスが設定されているメニューを表示する。またセンタジョグ４６の回転操作に応動してこれらのメニューＭ２６１〜Ｍ２６５でフォーカスを切り換える。また進むの操作子４７の操作に応動して、またはセンタジョグ４６の押圧操作に応動して、一覧表示に係る表示にフォーカスを切り換え、同様の背景色の切り換えによりフォーカスを表示する。
【００８０】
またこのようにして一覧表示にフォーカスを設定した状態で、センタジョグ４６の回転操作に応動してフォーカスを順次切り換え、このようにフォーカスされてなるメニューが常時表示されるように一覧表示をスクロールさせる。またこのようにしてフォーカスしている状態で、進むの操作子４７の操作に応動して、またはセンタジョグ４６の押圧操作に応動して、ユーザーによるコンテンツ、フォルダの選択を受け付け、この選択されたコンテンツに再生対象を切り換え、また選択対象のフォルダを切り換える。またこれとは逆に戻るの操作子４８が操作されると、フォーカスの設定をメニューＭ２６１〜Ｍ２６５に切り換える。
【００８１】
これらによりこの車載装置１では、タッチパネル３９の操作により、さらにはリモートコマンダー４０の操作により、ハードディスク装置３５に蓄積した映像コンテンツから所望するコンテンツを選択して鑑賞できるようになされている。
【００８２】
この車載装置１では、この図６（Ｂ）の画面に設定された設定のメニューＭ２６５の選択により、又はメニューの操作子１５Ｒ、１５Ｐの操作によって表示されるメニュー画面による設定により、各種設定画面が表示される。またこの設定画面に設けられたメニューの操作により、コントロールバーＢ１を表示しないように設定される。また図６（Ａ）に示すメニューＭ２８の操作によっても、コントロールバーＢ１を表示しないように設定される。
【００８３】
図７（Ａ）は、図６（Ａ）との対比により、このようにコントロールバーＢ１を表示しないようにした場合のメイン画面を示す正面図である。このコントロールバーＢ１を表示しないようにした状態で、タッチパネル３９の操作が検出されると、図７（Ｂ）に示すように、コントロールバーＢ１１が表示される。これにより車載装置１では、画像に関連する情報である属性情報の表示にあっては、不要な期間、表示しないようにして、必要なときだけ、画面の隅に表示するようにし、これにより表示の煩雑さを有効に回避し、簡易な表示に係るユーザーインターフェースを提供するようになされている。
【００８４】
またこのような画像に関連する情報を表示するタイミングを、ユーザーによる操作に対応するタイミングに設定することにより、ユーザーの所望するタイミングでこのような属性情報をユーザーに提供するようになされ、これによりユーザーの使い勝手を向上するようになされている。
【００８５】
ここでこのコントロールバーＢ１１は、対応するコントロールバーＢ１（図６（Ａ））との対比により、ＯＦＦのメニューＭ２１、巻き戻し、次のチャプタに戻る、再生／一時停止の切り換え、次のチャプタに進む、早送り、リスト表示のメニューＭ２１〜Ｍ２７が表示されないようになされ、コンテンツのタイトルとこのコントロールバーＢ１の表示／非表示の切り換えメニューＭ２８とが表示される。
【００８６】
コントローラ３３は、このようにしてコントロールバーＢ１１の表示を開始して一定時間経過してもユーザーによる操作が検出されない場合、さらには閉じるのメニューＭ２８が操作された場合、このコントロールバーＢ１１の表示を中止して元の画面（図７（Ａ））を表示する。これによりこの車載装置１では、不必要時においては、タッチパネル３９、リモートコマンダー４０の操作に係るメニューを表示画面１１より退避させてコンテンツを表示して、表示画面１１を有効利用するようになされている。
【００８７】
これに対してコントロールバーＢ１１の閉じるのメニューＭ２８以外の部位の操作が検出されると、非表示とされていたメニューＭ２１〜Ｍ２７を表示する。このとき表示の変化を図７（Ｃ１）〜（Ｃ３）により示すように、メニューＭ２８の左端より徐々にメニューＭ２２〜Ｍ２７を中央側より移動させて表示し、これによりあたかも重なってメニューＭ２８の下に隠れていたメニューＭ２２〜Ｍ２７が現れて見て取れる位置に移動したかの様に、これらメニューＭ２２〜Ｍ２７を表示させる。またこのようにしてメニューＭ２２〜Ｍ２７を表示して、タイトルの表示領域が不足すると、タイトルをスクロールさせて表示する。またこのようにして表示したメニューＭ２１〜Ｍ２８によりユーザーによる操作を受け付ける。
【００８８】
これにより車載装置１では、このコントロールバーＢ１の表示に関して、恰も複数のメニューを重ね合わせた状態と、この重ね合わせたメニューを並べて配置した状態とでメニューの表示を切り換えて、属性情報を表示する領域と複数のメニューとを表示する領域を可変するようなされ、これによっても属性情報、メニューを適宜、ユーザーの使い易いように表示して、表示を簡略化するようになされている。
【００８９】
またコントローラ３３は、このようにしてコントロールバーＢ１を非表示の状態に設定して、リモートコマンダー４０のセンタジョグ４６が操作されると、この場合は、全てのメニューＭ２１〜Ｍ２８を表示してなるコントロールバーＢ１を表示する。またこの場合も、表示を開始して一定時間経過してもユーザーによる操作が検出されない場合、さらには閉じるのメニューＭ２８が操作された場合、このコントロールバーＢ１の表示を中止する。またコントロールバーＢ１を表示した状態では、コントロールバーＢ１を常時表示している場合と同様に、フォーカスを表示してリモートコマンダー４０による操作を受け付ける。
【００９０】
コントローラ３３は、プログラムメニュー画面においてテレビジョン放送の視聴を指示するメニューＭ１が選択された場合、図６（Ａ）〜図７（Ｂ）について上述したと同様に、ラストメモリの記録に従ってコンテンツ、コントロールバー等を表示し、さらにはユーザーによる操作に応動してテレビジョン放送に係るコンテンツを切り換える。しかしてこの場合、コントロールバーにあっては、チャンネルのアップ、ダウンを指示するメニュー、電子番組表による鑑賞可能なコンテンツ一覧の表示を指示するメニュー等がコンテンツのタイトルと共に表示される。また選択可能なコンテンツにあっては通信ユニット３４を介して取得した電子番組表による番組一覧が提供される。
【００９１】
コントローラ３３は、このテレビジョン放送に係る表示においても、コントロールバーの表示／非表示のメニューを表示し、このメニューの選択により、さらにはまたこのメニュー画面に設定されたメニューの操作により、コントロールバーを表示しないように設定される。またこのようにしてコントロールバーを表示しないようにしてコンテンツを表示して、図７について上述したと同様に、タッチパネル３９の操作により、さらにはリモートコマンダー４０の操作によりコントロールバーを表示し、さらにはメニューを表示し、ユーザーによる操作を受け付ける。これによりこの車載装置１においては、テレビジョン放送によるコンテンツを提供する場合にあっても、タッチパネル３９、リモートコマンダー４０の操作に係るメニューを表示画面１１より退避させてコンテンツを表示して、表示画面１１を有効利用するようになされている。
【００９２】
図８は、プログラムメニュー画面におけるメニューＭ３に係る音楽コンテンツのメイン画面を示す平面図である。コントローラ３３は、メニューＭ３、Ｍ３Ｒによる選択により、ラストメモリの記録に従ってハードディスク装置３５に記録された音楽コンテンツを再生してユーザーに提供し、このときこの表示画面を表示する。
【００９３】
コントローラ３３は、この場合、表示画面の上側、帯状の部位に、音楽コンテンツの提供であることを示すタイトルを表示する。また画面左側に、順次、戻るのメニューＭ３１、曲名のメニューＭ３２、ジャンルのメニューＭ３３、アーティストのメニューＭ３４、プレイリストのメニューＭ３５、アルバムのメニューＭ３６が表示される。ここでハードディスク装置３５に記録されている音楽コンテンツにおいては、曲名の他に、ジャンル、アーティスト、プレイリスト、アルバムにより区分可能に記録され、コントローラ３３においては、この区分によりメニューＭ３２〜Ｍ３６のユーザーによる選択に応動して、ハードディスク装置３５に記録された音楽コンテンツの一覧を右側の一覧表示欄に表示するようになされている。
【００９４】
この表示画面には、このような選択に係るアーティスト名、アルバム名等の表示欄が中央に形成され、続く右側欄に、各区分に係る提供可能なコンテンツの一覧が表示される。コントローラ３３は、この一覧の表示領域に選択可能なコンテンツを表示しきれない場合、この一覧表示のスクロールにより選択可能なコンテンツを表示し、またスクロール可能な方向をこの一覧の左側に矢印により表示する。しかして図８の例では、上下に矢印が設けられて、表示領域を上下にはみだしてコンテンツの一覧表が存在していることが示されるようになされている。またこの場合、コントローラ３３は、この一覧表示の右側に、スクロールバーＢ２を表示し、またこのスクロールバーＢ１の上下に、上下方向へのスクロールを指示するメニューＢＵ、ＢＤを表示する。またこの一覧画面には、画面下部に、コントロールバーＢ１が表示される。なおこの一覧においては、フォーカスされているメニューを左側に飛び出させて表示するようになされている。
【００９５】
コントローラ３３は、タッチパネル３９によるこれらメニューＭ３１〜Ｍ３６、一覧表示コントロールバーのＢ２の操作により、図６、図７について上述したと同様にして、ユーザーにより選択操作に対応するように、再生対象のコンテンツを切り換える。これによりこの場合も、上位階層のメニューと下位階層のメニューとを同時に表示して、タッチパネル３９、リモートコマンダー４０による操作を受け付けるようになされている。またコントローラ３３は、スクロールバーＢ２、メニューＭＵ、ＭＤの操作が検出されると、この操作により一覧表示をスクロールさせ、これによりまたこのようにして複数階層のメニューを同時に表示してメニューを表示し切れない場合、表示し切れないメニューをスクロールにより表示するようになされている。
【００９６】
さらにこの表示画面において、コントロールバーＢ１には、アーティスト名の表示領域に表示する動画による壁紙を切り換えるビジュアライザーのメニュー、シャッフル再生を指示するメニュー、リピート再生を指示するメニューが左端に順次配置される。また右側には、巻き戻し、次曲に戻る、一時停止／再生、次曲に進む、早送り、リスト、コントロールバーの表示／非表示のメニューが順次表示される。
【００９７】
しかしてコントローラ３３は、この表示画面を表示した直後においては、現在ユーザーに提供している音楽コンテンツに関して、再生中のアルバム等に係るコンテンツ一覧を表示し、コントロールバーＢ１に設けられたリストのメニューの操作により、上述した一覧表示欄の表示を現在再生中の曲の一覧表示から、提供可能なコンテンツの一覧表示に切り換えるようになされ、またこの表示の切り換えに対応して、リモートコマンダー４０による操作に対してコントロールバーＢ１のメニューからメニューＭ３１〜Ｍ３６等にフォーカスを切り換えるようになされている。これによりこの音楽コンテンツの表示画面においては、このコントロールバーＢ１を含めると、３階層のメニューが表示されるようになされている。
【００９８】
しかしてコントローラ３３は、上述したと同様に、このコントロールバーＢ１について、タッチパネル３９、リモートコマンダー４０による操作を受け付け、全体の動作を切り換えるようになされている。その結果、タッチパネル３９による操作において、この場合、３階層分のメニューを直接に選択できることになる。
【００９９】
これに対して図９は、地図のメイン画面を示す平面図である。コントローラ３３は、プログラムメニュー画面において、地図に係るメニューＭ４が選択されると、現在位置の周囲地図を表示する。また画面の上端の帯状の領域にこの地図の表示に関連する情報Ｄ１を表示する。また事前にユーザーがナビゲーションの処理を指示している場合、この帯状の領域に併せてナビゲーションに関する情報を表示する。
【０１００】
しかしてこの事前の設定においては、パネルに設けられたメニューの操作子１５Ｐ、リモートコマンダー４０に設けられたメニューの操作子１５Ｒの操作により、図１０に示すメニュー画面を表示して実行される。なおこの表示画面においては、左側にナビゲーションに係るメニューのうちの最も上位階層のメニューである目的地の入力用メニュー等が表示される。また中央に、この左側のメニューにより選択された下位階層のメニューが表示され、最も右端にさらに下位階層のメニューが表示される。図９は、この上位階層のメニューにおいて、場所のメニューが選択され、続いてこの場所のメニューに対応するジャンルのメニューが選択された状態を示すものである。
【０１０１】
コントローラ３３は、この階層構造によるメニューの選択により目的地の入力を受け付け、現在位置からこの目的地までのルート検索の処理を実行し、このルートによりユーザーを道案内するようになされている。しかしてこの場合も、３つの階層によるメニューを同時に表示したことにより、例えばこの場合ユーザーが誤ってジャンルのメニューを選択した場合、タッチパネル３９の操作によっては、周辺施設検索等のメニューを直接選択することができるようになされている。これに対してリモートコマンダー４０による場合には、フォーカスを順次切り換えて階層構造を辿って所望するメニューを選択することができるようになされている。
【０１０２】
なおこの車載装置１では、この表示画面における設定のメニューの操作により、上述したコントロールバーの表示／非表示を各メニューＭ１〜Ｍ８毎に設定できるようになされ、さらには後述する２画面表示における分割比を設定できるようになされている。
【０１０３】
図９の表示画面においては、このような設定によりナビゲーションの処理を実行している場合の表示画面である。なおこの図９の例では、現在位置の周囲を地図により表示しているが、この表示にあっては、鳥瞰図の形式による表示等、種々の表示を選択できるようになされている。
【０１０４】
コントローラ３３は、帯状の領域の左側端に、現在表示中の地図のスケールを表示する。またＶＩＣＳによる渋滞情報を取得できるように現在設定されている受信周波数、現在時刻を表示する。また続いてナビゲーションに係る情報である、目的地までの距離、予測される目的地の到着時刻が表示される。また現在位置に係る情報が、交差点を示す＋のマークと地名により表示される。これによりユーザーがナビゲーションの処理を指示していない場合、この帯状の領域においては、ナビゲーションに係る情報の表示が中止される。
【０１０５】
コントローラ３３は、このようにして地図の表示に関連する情報Ｄ１を表示して、タッチパネル３９の操作によりスケールに係る表示が操作されると、図１１に示すように、切り換え可能なスケールのメニュー、広域、詳細のメニューを表示し、タッチパネル３９の操作によりスケールのメニューが選択されると、地図表示のスケールを切り換える。また広域、詳細のメニューが選択されると、このスケールのメニューの設定に従って、地図表示のスケールを順次段階的に切り換える。これに対してコントローラ３３は、このようなスケール等のメニューを表示した状態で、さらにはスケール等のメニューを表示していない状態で、リモートコマンダー４０でズームアップ、ズームダウンの操作子４２が操作されると、それぞれ広域、詳細のメニューが選択された場合と同様に地図表示のスケールを順次段階的に切り換える。
【０１０６】
またタッチパネル３９の操作により、ユーザーが地図の表示に指を触れると、指が触れた箇所が中央になるように、地図の表示を移動させる。またリモートコマンダー４０において、ジョイステック４３が操作されると、このジョイステック４３の操作方向に地図をスクロールさせる。またリモートコマンダー４０において、現在位置の操作子４４が操作されると、現在位置が画面中央に位置するように、地図の表示を切り換える。これらによりこの車載装置１では、リモートコマンダー４０によっても、タッチパネル３９によっても、地図表示を種々に切り換えることができるようになされている。
【０１０７】
この車載装置１では、図１０について上述したメニュー画面における設定により、この地図表示に係る表示画面において、地図の表示に関連する情報Ｄ１の表示が中止される。またこのように地図の表示に関連する情報Ｄ１を表示しないようにして、ナビゲーションの処理において、道案内に供する基準点であるガイドポイントを基準にしたタイミングで図１２に示すように、地図の表示に関連する情報Ｄ１を表示し、また所定のタイミングで音声によるガイドをユーザーに提供する。具体的に、このタイミングは、例えばガイドポイントの到着が予測される所定時間前のタイミングである。コントローラ３３は、この場合も、表示開始時の変化を図１１（Ａ）〜図１２（Ｄ）の順序により示すように、それまで表示画面の外側に隠れていた情報Ｄ１の表示があたかも表示画面１１に姿を表すかのように、徐々に表示を切り換えて各種の情報をユーザーに提供する。
【０１０８】
またこのように地図の表示に関連する情報Ｄ１を表示しないようにして、ユーザーによりこの情報Ｄ１を表示する領域の操作がタッチパネル３９により検出されると、この情報Ｄ１を表示する。
【０１０９】
これによりこの場合も、車載装置１においては、表示可能領域を有効に利用して地図に係る情報をユーザーに提供するようになされている。
【０１１０】
これに対してＡＵＸ入力のメニューＭ５に係るメイン画面においては、ＡＵＸ入力に係るコンテンツに応じて、上述したハードディスク装置３５に記録した映像コンテンツの鑑賞に係る表示画面、音楽コンテンツの鑑賞に係る表示画面と同様に形成され、この場合も、コントロールバーＢ１を必要に応じて表示しないようにして、また必要に応じて表示するようにして、表示画面１１を有効に利用して、かつユーザーによる使い勝手の劣化を防止するようになされている。
【０１１１】
これに対してインターネットのメニューＭ６に係るメイン画面においては、進む、戻る等のメニューと共に、ホームページ等を表示して形成され、電子メールのメニューＭ７に係る表示画面においては、受信メール、送信メール、メール作成等のメニューを表示して形成され、各メールの選択により内容を表示し、さらにはメール作成画面等を表示するようになされている。また静止画に係るメニューＭ８のメイン画面においては、静止画に係る操作用のメニューを各静止画のサムネイル画像と共に表示して形成され、サムネイル画像の選択により対応する静止画を拡大表示し、さらにはメニューの選択によりスライドショー等の表示を実行できるようになされている。
【０１１２】
これらの表示画面においても、コントローラ３３は、タッチパネル３９による操作と、リモートコマンダー４０との操作によりメニューの選択を受け付け、さらには表示の切り換え等を受け付けるようになされている。
【０１１３】
コントローラ３３は、このようなプログラムメニュー画面によるメニューＭ１〜Ｍ８の選択において、何れかのソースによりコンテンツをユーザーに提供している状態で、コンテンツを提供するメニューＭ１〜Ｍ３以外のメニューがユーザーにより選択された場合、コンテンツの提供を継続して実行し、このユーザーにより選択されたメニューに係る処理を立ち上げる。これによりこの車載装置１では、例えば音楽を楽しみながら、電子メールを確認する等の処理を実行できるようになされている。
【０１１４】
これに対してコントローラ３３は、このようなプログラムメニュー画面によるメニューＭ１〜Ｍ８の選択において、何れかのソースによりコンテンツをユーザーに提供している状態で、コンテンツを提供する他のメニューが選択された場合、それまでのコンテンツの提供を中止し、ユーザーにより選択されたコンテンツを再生する。これによりこの車載装置１では、図４又は図５について上述したプログラムメニュー画面を表示してメニューＭ１〜Ｍ３を選択することにより、このコンテンツに関するソースを切り換えることができるようになされている。
【０１１５】
コントローラ３３は、このようなプログラムメニュー画面による操作に代えて、操作パネルに設けられたソースの操作子１３Ｐ、リモートコマンダー４０に設けられたソースの操作子１３Ｒの押圧操作によっても、コンテンツのソースに係るメニューＭ１〜Ｍ３が操作された場合と同様に、対応するアプリケーションの動作を立ち上げ、またアプリケーションを切り換える。
【０１１６】
すなわちコントローラ３３は、ユーザーによる電源スイッチ１２の操作により、電源立ち下げ時と同一の状態により各部の動作を立ち上げ、この状態がユーザーにメニューＭ１〜Ｍ３の何れかのアプリケーションによりユーザーにコンテンツを提供する状態の場合、図１３において矢印Ａにより示すように、ソースの操作子１３Ｐ、１３Ｒの操作に応動して、ユーザーに提供するソースを順次循環的に切り換える。なおこの図１３において、ハードディスク装置３５に記録されている音楽コンテンツ、及び映像コンテンツに係るアプリケーションをそれぞれオーディオ、ビデオにより示し、テレビジョン放送に係るアプリケーションをＴＶにより示す。
【０１１７】
これに対して電源立ち下げ時と同一の状態により各部の動作を立ち上げて、この状態がメニューＭ１〜Ｍ３に係るアプリケーションによるものでは無い場合、いわゆるラストメモリの記録により、最も最近使用したアプリケーションを、使用を終了した時点の状態により立ち上げる。またこの場合において、この立ち上げたアプリケーションに係る表示を優先して表示画面１１に表示する。これにより図１３において、矢印Ｂにより示すように、コントローラ３３は、何らコンテンツを提供していないで、かつ地図を表示した状態で、ソースの操作子１３Ｐ、１３Ｒを操作すると、地図の表示をコンテンツに係る表示に切り換え、コンテンツの提供を開始するようになされている。
【０１１８】
これによりこの車載装置１では、単に、ソースの操作子１３Ｐ、１３Ｒを繰り返し押圧操作することにより、簡易に所望するコンテンツを選択することができるようになされ、その分、使い勝手を向上できるようになされている。
【０１１９】
これに対して何れかのコンテンツをユーザーに提供している状態で、ユーザーにより操作パネルに設けられた地図の操作子１７Ｐ、リモートコマンダー４０に設けられた地図の操作子１７Ｒが操作されると、コントローラ３３は、図１３において矢印Ｃにより示すように、メニューＭ４に係るアプリケーションを立ち上げ、表示画面１１の表示を地図の表示に切り換える。これによりこの車載装置１では、テレビジョン放送による映像コンテンツ、ハードディスク装置に記録された映像コンテンツ、音楽コンテンツを楽しんでいる状態で、地図の操作子１７Ｐ、１７Ｒを操作するだけで、簡易に現在位置等を確認できるようになされている。
【０１２０】
コントローラ３３は、このようにして地図の操作子１７Ｐ、１７Ｒの操作により地図を表示して、再び地図の操作子１７Ｐ、１７Ｒが操作されると、表示画面１１の表示をコンテンツの表示に切り換える。これによりこの車載装置１では、地図の操作子１７Ｐ、１７Ｒの繰り返しの操作により、地図の表示、非表示を切り換えることができるようになされ、これによっても使い勝手を向上できるようになされている。
【０１２１】
なお地図の操作子１７Ｐ、１７Ｒの操作による表示の切り換え、ソースの操作子１３Ｐ、１３Ｒによる表示の切り換えにおいては、各アプリケーションのメイン画面を表示した状態からだけでなく、例えばリスト等の表示に係る下位階層の画面からも遷移するように設定され、これによってもこの車載装置１では、咄嗟の場合の現在位置の確認等において、使い勝手を向上できるようになされている。
【０１２２】
コントローラ３３は、さらにユーザーにより表示切り換えの操作子であるディスプレイの操作子１６Ｐ、１６Ｒが操作されると、コンテンツの提供に係るアプリケーションと地図のアプリケーションとで表示を切り換える。なおこのときコンテンツを何らユーザーに提供していない場合、ラストメモリの記録に従って、最も最近に利用したコンテンツの提供に係るアプリケーションを立ち上げ、表示を切り換える。
【０１２３】
このとき図１４（Ｂ）に示すように、メニュー画面（図１０）を用いた事前の設定により、２つのアプリケーションに係る表示を並べて同時に表示する２画面表示を間に挟んで、ディスプレイの操作子１６Ｐ、１６Ｒの操作により順次循環的に表示を切り換える。なお音楽コンテンツの提供に係るメニューＭ３のアプリケーションにあっては、映像によるコンテンツの提供では無いことにより、このような２画面表示の表示は省略される。これによりこの車載装置１においては、簡易に表示画面１１を切り換えて、例えばテレビジョン放送による実況中継を確認しながら、ナビゲーションに係る地図を確認する等の処理を実行できるようになされている。
【０１２４】
これによりコントローラ３３は、図１４（Ａ）に示すように、２画面表示がユーザーにより指示されている場合、例えば地図を表示した状態で、ユーザーによりディスプレイの操作子１６Ｐ、１６Ｒが押圧操作されると、表示画面１１の表示を２画面表示に切り換え、右側にコンテンツの提供に係る画像を縮小し、左側の残った領域で地図を表示する。また続いてユーザーがディスプレイの操作子１６Ｐ、１６Ｒを操作すると、図１４（Ｃ）に示すように、この２画面表示をコンテンツの提供画面に切り換え、さらにユーザーがディスプレイの操作子１６Ｐ、１６Ｒを操作すると、元の地図表示画面を表示するようになされている。
【０１２５】
これに対してユーザーが２画面表示を指示していない場合、コントローラ３３は、２画面表示を飛ばして、ディスプレイの操作子１６Ｐ、１６Ｒの操作に応動して地図表示とコンテンツの表示とを切り換える。
【０１２６】
コントローラ３３は、このようにして表示する２画面表示において、各画面の表示の大きさを、メニュー画面（図１０）を用いて事前に設定された分割比に応じて設定し、これによりこのような２つのアプリケーションに係る表示を同時に実行して、ユーザーによる使い勝手を向上するようになされている。
【０１２７】
図１５は、このように地図とコンテンツとで表示を切り換える際の表示画面を示す平面図である。図１３について上述したソースの操作子１３Ｐ、１３Ｒ、地図の操作子１７Ｐ、１７Ｒによる操作、図１４について上述したディスプレイの操作子１６Ｐ、１６Ｒにより地図とコンテンツの提供画面とで表示を切り換える場合、地図画面、コンテンツの提供画面、２画面表示でこの表示が適用される。なお図１５に示す例は、コンテンツの提供画面が適用された場合である。
【０１２８】
この表示において、コントローラ３３においては、地図の表示に関連する情報Ｄ１と、コンテンツの提供に係るコントロールバーＢ１とをそれぞれ上下端に表示する。これによりこの車載装置１では、例えばコンテンツを鑑賞している場合でも、現在位置、ナビゲーションに係る各種の情報を確認できるようになされている。しかしてこれらのコントロールバーＢ１、地図の表示に関連する情報Ｄ１の表示に係るタッチパネル３９、リモートコマンダー４０によるメニューの操作については、図６等で上述したと同様に、それぞれ個別にアプリケーションを立ち上げている場合と同様にして受け付けられる。
【０１２９】
これに対してユーザーによる設定により、これらコントロールバーＢ１、地図の表示に関連する情報Ｄ１の非表示が選択されている場合、コントローラ３３においては、タッチパネル３９により地図の表示に関連する情報Ｄ１を表示する領域が操作された場合、情報Ｄ１を表示する。またこれとは逆に、タッチパネル３９によりコントロールバーＢ１側が操作された場合、コントロールバーＢ１を表示する。またこの表示を介してユーザーによる各種操作を受け付ける。なおこの非表示状態からのコントロールバーＢ１、地図の表示に関連する情報Ｄ１の表示に係る遷移においては、それぞれ図７、図１２について上述したと同一に実施される。
【０１３０】
これに対してリモートコマンダー４０による操作については、センタジョグ４６の操作によりこれらコントロールバーＢ１、地図の表示に関連する情報Ｄ１を同時に表示し、これらこれらコントロールバーＢ１、地図の表示に関連する情報Ｄ１の表示の間でセンタジョグ４６の操作に応動してフォーカスを切り換える。
【０１３１】
これによりこの車載装置１では、２つのアプリケーションを同時に実行する場合にあっても、表示画面１１の表示可能領域を有効に利用して、ユーザーによる操作を受け付けるようになされている。なお図１５に示す例では、地図のアプリケーションと他のアプリケーションとを同時に実行している状態で、他のアプリケーション側を主体的に表示している場合ではあるが、地図側を表示する場合、さらには２画面表示の場合にあっても、これらコントロールバーＢ１、地図の表示に関連する情報Ｄ１の表示に係る制御にあっては、同一に実行される。
【０１３２】
コントローラ３３は、このような各メニューＭ１〜Ｍ８に対応する各アプリケーションについては、ユーザーの如何なる操作により動作を停止した場合でも、動作停止時の状態をそれぞれ各アプリケーション毎に記録して保持する。また各アプリケーションの起動にあっては、この記録により各アプリケーションで停止直前状態を再現する。具体的に、コントローラ３３は、コンテンツの提供に係るメニューＭ１〜Ｍ３のアプリケーションについては、各アプリケーション毎に（すなわちこの場合、各ソース毎に）、最も最近再生したファイル名、再生を中止した箇所を記録する。また映像コンテンツに係るソースにあっては、コンテンツの提供を中止した時点において、２画面表示であったか否か、コントロールバーＢ１が非表示であったか否か、メイン画面かリスト画面であるか等が記録される。
【０１３３】
コントローラ３３は、これにより上述したソースの操作子の操作によりソースを順次循環的に切り換える場合、この記録に従って各アプリケーションを立ち上げることにより、例えばテレビジョン放送によるコンテンツについては、２画面表示により表示し、この状態でユーザーがソースの操作子を操作すると、ハードディスク装置３５に記録した映像コンテンツを表示画面の全面により表示する等、ソースを順次循環的に切り換える場合にあっても、ユーザーの好みにあった形態により画像表示するようになされている。しかしてこの場合、コントロールバーＢ１にあっても、コンテンツ毎に、表示されたり、表示されなかったりすることになる。またコンテンツによっては、リスト画面が表示されることになる。
【０１３４】
コントローラ３３は、このような表示に係るセンタジョグ４６に割り当てられた各種操作のうち、特定の操作については、サイドジョグ５２によっても操作を受け付ける。具体的に、コントローラ３３は、センタジョグ４６により受け付ける操作のうち、コンテンツの提供に係る操作を、サイドジョグ５２により受け付ける。またこのサイドジョグ５２との関連で、このサイドジョグ５２と共に側面に設けられたソースオフの操作子５４、戻るの操作子５３の操作を受け付ける。ここでソースオフの操作子５４は、コンテンツの提供に係る駆動中のアプリケーションの終了を指示する操作子である。戻るの操作子５３は、センタジョグ４６の隣に設けられた戻るの操作子４８と同一の操作を指示する操作子である。
【０１３５】
これによりこの車載装置１では、特定のコンテンツの提供に係る操作については、リモートコマンダー４０の側面に設けられた操作子により、いわゆるブラインドタッチで操作できるようにし、その分、使い勝手を向上するようになされている。
【０１３６】
具体的に、コントローラ３３は、音楽コンテンツをユーザーに提供している場合に、サイドジョグ５２が回転操作されると、サイドジョグ５２が回転操作された方向に、いわゆる曲飛ばしの処理を実行する。またサイドジョグ５２が押圧操作されると、リスト画面に表示を切り換える。またこの状態でサイドジョグ５２の操作によりフォーカスを切り換えてユーザーによるコンテンツの選択を受け付け、戻るの操作子５３の操作により元の画面に表示を切り換える。
【０１３７】
これに対してテレビジョン放送によるコンテンツを提供している場合、サイドジョグ５２の回転操作により受信チャンネルを切り換える。またハードディスク装置３５に記録された映像コンテンツの提供にあっては、サイドジョグ５２の回転操作により、操作方向に、所定の時間単位でスキップの処理を実行する。
【０１３８】
（２）実施例の動作
以上の構成において、この車載装置１では（図１及び図２）、車内に設けられた車載用クレードル２Ａに載置することにより、車両より電源の供給を受け、また車両に設けられた外部ユニット２１、カーオーディオ装置２８等に接続され、これにより車両で使用可能となる。車載装置１では、電源スイッチ１２の操作により電源が立ち上げられ、ナビゲーションに利用できるようになされ、またハードディスク装置３５に記録された音楽、映像コンテンツ、テレビジョン放送によるコンテンツを楽しむことができ、さらには現在位置を確認することができる。
【０１３９】
このようにしてコンテンツ、現在位置等の確認に供する車載装置１においては、リモートコマンダー４０の操作により（図３）、又は表示画面に設けられたタッチパネル３９の操作により、利用可能なアプリケーションのメニューであるプログラムメニュー画面が表示され（図４、図５）、このプログラムメニュー画面におけるメニューの選択により、所望するアプリケーションが起動し、これにより例えばテレビジョン放送によるコンテンツを楽しむことができる。またこれにより複数のアプリケーションを立ち上げて、例えば音楽を視聴しながら、例えば地図を表示して現在位置を確認することができる。
【０１４０】
またこのようにアプリケーションを選択して、各アプリケーションのメイン画面においては、コンテンツの選択に係るリスト画面へのメニュー等が表示され、さらはコンテンツの再生等に係る各種のメニューが表示され、タッチパネル３９の操作により、またリモートコマンダー４０の操作によりこれらメニューを選択してコンテンツを切り換える等の各種操作を実行することができる（図６〜図１２）。
【０１４１】
しかしてこのような一連の操作において、タッチパネル３９、リモートコマンダー４０の操作によりアプリケーションを選択する場合にあっては、プログラムメニュー画面に表示された複数のメニューから所望するメニューを選択する処理であることにより、タッチパネル３９による操作においては、単に所望するメニューを見つけて指を触れただけの操作により実行することができる。これによりこの車載装置１では、タッチパネル３９によっても、リモートコマンダー４０によっても操作できるようにして、タッチパネルに関して操作を簡略化することができる。
【０１４２】
しかしながらリモートコマンダーによる操作においては、フォーカスを移動させ、決定の操作を入力することが必要になる。しかしてこのような車載装置１においては、コンテンツを鑑賞する場合と、地図により現在位置等を確認する場合が最も使用頻度が高い。また車載装置１においては、コンテンツを鑑賞する場合として、テレビジョン放送による映像コンテンツ、ハードディスク装置３５に記録された音楽コンテンツ、映像コンテンツを選択でき、これら３つのソースに係るコンテンツにあっては、ユーザーが同時に鑑賞を望むことは極めて稀であると言える。これに対して地図にあっては、コンテンツを鑑賞している場合でも、頻繁に表示に供される場合もある。
【０１４３】
これにより車載装置１では（図１３）、ソースの切り換えを指示するソースの操作子１３Ｐ、１３Ｒが操作パネル及びリモートコマンダー４０にそれぞれ設けられ、このソースの操作子１３Ｐ、１３Ｒの操作により、これら３つのソースが順次循環的に切り換えられてユーザーに提供される。また何らコンテンツを提供していない場合には、これらソースに係るアプリケーションが立ち上げられた後、操作の繰り返しによりソースが順次切り換えられる。このときナビゲーションによる表示等である地図を表示した状態で、ソースの操作子が操作されると、地図の表示を映像コンテンツの表示に切り換える。これによりこの車載装置１では、地図表示からコンテンツ再生に動作を切り換える場合にあっても、ソースを切り換える場合と同様にして表示を切り換えることができ、その分、リモートコマンダー４０の操作に関してソースの切り換えに係る操作を簡略化することができる。
【０１４４】
また映像コンテンツを表示した状態で、地図の表示を指示する地図の操作子１７Ｐ、１７Ｒが操作されると、映像コンテンツの表示が地図の表示に切り換えられ、さらに地図を表示した状態で、地図の操作子１７Ｐ、１７Ｒが操作されると、この地図の表示が元の映像コンテンツの表示に切り換えられる。これによりこの車載装置１では、地図の操作子により地図に表示を切り換える際に、この操作子の操作によっても地図の表示からソースの表示に表示を切り換えることができる。
【０１４５】
これによりソースの切り換えに係るソースの操作子の操作と、地図表示を指示する地図の操作子の操作とで、ソースと地図との間で表示を切り換えることができ、その分、リモートコマンダー４０に係る操作を簡略化することができる。
【０１４６】
これらにより車載装置１では、タッチパネルとリモートコマンダーとによる操作により操作を受け付ける場合にあっても、ユーザーの煩雑さを解消して操作性を向上し、いわばブラインドタッチによっても表示を切り換えることができ、これらによりユーザーによる使い勝手を向上することができる。
【０１４７】
また車載装置１においては、ディスプレイの操作子１６Ｐ、１６Ｒの操作により（図１４）、このような地図と映像コンテンツとで表示を切り換え、このときユーザーによる設定に応じて、地図の表示と映像コンテンツの表示とを並べて表示した２画面表示を間に挟んで、表示画面１１の表示が順次循環的に切り換えられる。これにより例えば地図により現在位置を確認しながら、映像コンテンツに係る音声だけを楽しむ場合、地図及び映像コンテンツの画像の双方を確認する場合等、ユーザーによる趣味、嗜好に合致した表示形態により映像コンテンツ及び地図を表示することができる。
【０１４８】
このとき、単にディスプレイの操作子１６Ｐ、１６Ｒの操作により、これら３つの表示を順次循環的に切り換えることにより、ユーザーにおいては、リモートコマンダー４０を用いた簡易な操作により、さらには操作パネルに設けられた操作子による簡易な操作により、所望する表示形態を選択することができ、その分、使い勝手を向上することができる。
【０１４９】
しかして車載装置１では、このような２画面表示に係る２つの画像の表示の比率を、事前の設定により受け付け、この設定による比率により２画面表示を形成する。これによりユーザーにおいては、２画面表示において、地図を主体とする場合には、地図側の表示を大きくすることができ、また映像コンテンツを主体とする場合には、コンテンツ側の表示を大きくすることができ、これによりユーザーの趣味、嗜好を２画面表示に反映させてユーザーによる使い勝手が向上されるようになされている。
【０１５０】
またこのような設定にあっては、各ソース毎に受け付けられ、またソース毎にこの受け付けた設定により２画面表示が形成される。これにより例えばテレビジョン放送のコンテンツについては、地図を主体とした２画面表示により表示し、ハードディスク装置３５に記録された映像コンテンツについては、映像コンテンツを主体とした２画面表示を表示する等、ユーザーの所望する表示形態をソース毎に設定でき、これによっても使い勝手を向上することができる。
【０１５１】
しかしてこのような２画面表示を表示するか否かについても、ソース毎に、ユーザーにより設定でき、これによっても一段と使い勝手を向上することができる。
【０１５２】
また車載装置１では、このようにディスプレイの操作子１６Ｐ、１６Ｒの操作により表示の形態が切り換わることにより、ソース毎に、直前の表示が２画面表示か否か記録に残され、ソースの操作子の操作による各ソースの表示においては、この記録により２画面表示により、又はコンテンツの画像が表示される。これによりユーザーにおいては、いちいちディスプレイの操作子１６Ｐ、１６Ｒの操作により所望する表示形態をソース毎に選択しなくても、ソースの操作子１３Ｐ、１３Ｒの操作によりアプリケーションを立ち上げて所望する表示形態による表示を得ることができ、これによってもリモートコマンダー４０による操作を簡略化できるようになされている。
【０１５３】
しかしてこのようにコンテツを鑑賞して、ユーザーがコンテンツを選び直す場合等にあっては、各アプリケーションのメイン画面に表示されたコントロールバーＢ１のメニューの選択等により、対応するリスト画面が表示され、このリスト画面におけるメニューの選択により所望するコンテンツを選択することになる（図６、図８）。このときこの車載装置１では、ハードディスク装置３５に記録した多数のコンテンツより所望するコンテンツを簡易に選択できるように、各コンテンツの選択に至るメニューが階層構造により表示され、例えばジャンルを選択して選択に係るジャンルによる一覧から所望するコンテンツを選択することになる。
【０１５４】
またナビゲーションに係る目的地等の入力においても、種々の目的地の区分から選択の容易な区分を選択し、この区分による詳細区分の一覧から対応する詳細区分を選択し、これらによりこの場合も、階層構造によるメニューの選択により目的地を入力する（図１０）。
【０１５５】
この車載装置１では、このような階層構造によるメニューにあっては、上位階層のメニューと対応する下位階層のメニューとを同時に表示し、タッチパネル３９の操作については、同時に表示してなる上位階層のメニューと下位階層のメニューとの何れのメニューについても選択を受け付ける。またこの選択の受け付けにより上位階層のメニューが選択された場合、下位階層のメニューが選択された上位階層のメニューに対応するメニューに切り換えられる。しかしてタッチパネルの操作においては、単に視点を移動させて所望するメニューを選択するだけの操作で所望するメニューを選択し、必要に応じて下位階層のメニューを改めて選択することができ、これによりタッチパネル３９の操作において、階層構造によるメニューの中から所望するメニューを迅速かつ確実に操作することができる。
【０１５６】
これに対してリモートコマンダー４０の操作については、上位階層へのフォーカスの切り換えを指示する上位階層への操作子である戻るの操作子４８の操作により、下位階層から対応する上位階層のメニューにフォーカスを切り換えた後、同一階層に係るメニューでフォーカスを切り換えるフォーカス切り換えの操作子であるセンタジョグ４６の回転操作により、上位階層のメニューでフォーカスを切り換える。またフォーカスされたメニューの選択を指示する選択の操作子であるセンタジョグ４６の押圧操作により下位階層のメニューの表示を、フォーカスされている上位階層のメニューに対応するメニューの表示に切り換える。これによりリモートコマンダー４０による操作においては、複数種類の操作子の操作により階層構造を辿るようにフォーカスを切り換えて所望するメニューを確実に選択することができる。
【０１５７】
これらによりタッチパネル３９による操作にも適し、かつリモートコマンダー４０による操作にも適してなるメニューの表示によりタッチパネル３９、リモートコマンダー４０によるユーザーの操作を受け付けることができ、その分、ユーザーによる使い勝手を向上することができる。
【０１５８】
またこのようにして上位階層のメニューと対応する下位階層のメニューとを同時に表示して、メニューを表示しきれない場合、スクロースを指示するメニューを併せて表示し、タッチパネルの操作については、スクロースを指示するメニューの操作により、表示しきれないメニューをスクロールにより表示し、またリモートコマンダー４０の操作については、フォーカス切り換えの操作子の操作により、表示しきれないメニューをスクロールにより表示することにより、リモートコマンダー４０による操作と同様の操作感によりタッチパネル３９を操作して、表示しきれないメニューを選択することができ、これによっても使い勝手を向上することができるようになされている。
【０１５９】
またこのようなフォーカス切り換えの操作子及び選択の操作子が、押圧操作可能な回転操作子であり、フォーカス切り換えの操作子による操作が、この回転操作子の回転操作であり、選択の操作子による操作が、この回転操作子の押圧操作であることにより、この回転操作子の回転操作と押圧操作との繰り返しだけで、下位階層に向かってメニューを選択することができ、ユーザーの使い勝手を向上することができる。
【０１６０】
またこのようなリスト画面の表示に係るメニューを配置したコントロールバーＢ１の操作については、この回転操作子であるセンタジョグ４６によりユーザーの操作を受け付けるようにして、リモートコマンダー４０の側面に、このセンタジョグ４６に対応するサイドジョグ５２、戻るの操作子５３が設けられる。これにより車載装置１では、リモートコマンダー４０の主の操作面に、少なくと主の回転操作子と主の戻るの操作子とが設けられ、この主の操作面の側面に、副の回転操作子とこの副の回転操作子により設定された状態より元の状態への戻りを指示する副の戻るの操作子とが設けられる。
【０１６１】
またこのような主の回転操作子、主の戻るの操作子の操作により、ナビゲーションの機能とコンテンツを提供する機能との動作の切り換えに係るメニューを表示して各種の操作が受け付けられる。
【０１６２】
車載装置１では、このような主の回転操作子、戻るの操作子に係る機能分担に対して、この機能の一部であるコンテンツの提供に係る操作が、副の回転操作子、副の戻るの操作子による操作によっても受け付けられる。これにより車載装置１では、主の回転操作子側に割り当てられている操作のうち、ブラインドタッチに適した操作については、副の回転操作子側でも操作することができる。これにより特定の操作については、副の回転操作子側により操作できるようにし得、その分、タッチパネルとリモートコマンダーとによる操作により操作を受け付ける場合等にあっても、ユーザーの煩雑さを解消して操作性を向上し、ユーザーによる使い勝手を向上することができる。
【０１６３】
具体的に、ユーザーに音楽コンテンツを提供している場合に、副の回転操作子による操作により、ユーザーに提供する音楽コンテンツを切り換えることにより、気に入らないコンテンツを飛ばして再生する等の操作をブラインドタッチにより実行してユーザーの使い勝手を向上することができる。
【０１６４】
また回転操作子の押圧操作によりリスト画面を表示して選曲を受け付けることによっても、ユーザーの使い勝手を向上することができる。
【０１６５】
（３）実施例の効果
以上の構成によれば、ソース切り換えの操作子の操作によっても地図の表示からソースの表示に切り換えることにより、ナビゲーション機能、ビデオの再生機能を有する機器等に関して、ユーザーによる使い勝手を向上することができる。
【０１６６】
またこのとき表示切り換えの操作子の操作により、地図の表示と映像コンテンツの再生による表示と２画面表示とを順次循環的に切り換えることによっても、ユーザーによる使い勝手を向上することができる。
【０１６７】
またこの２画面表示における地図を表示する領域の大きさ、映像コンテンツの再生を表示する領域の大きさとの設定を受け付け、この設定により２画面表示を形成することにより、またこの設定を、ソース毎に受け付けてソース毎に対応する設定により２画面表示を形成することにより、ユーザーの嗜好を反映させて２画面表示を形成することができる。またソース毎に、直前の表示が２画面表示か否か記録して保持し、この記録に基づいて２画面表示を表示することによっても、ユーザーの使い勝手を向上することができる。
【０１６８】
また上位階層と下位階層とのメニューを同時に表示してタッチパネル、リモートコマンダーによる操作を受け付けることにより、タッチパネルによる操作にも、リモートコマンダーによる操作にも適してなるメニューの表示によりタッチパネル、リモートコマンダーによるユーザーの操作を受け付けることができ、その分、ユーザーによる使い勝手を向上することができる。
【０１６９】
またこのときメニューを表示しきれない場合、スクロールを指示するメニューを併せて表示し、表示しきれないメニューをスクロールにより表示することにより、リモートコマンダーによる操作と同様の操作感によりタッチパネルを操作して、表示しきれないメニューを選択することができ、これによっても使い勝手を向上することができる。
【０１７０】
またこのフォーカス切り換えに係る操作子が、押圧可能な回転操作子であることにより、回転操作子の回転操作と押圧操作との繰り返しだけで、下位階層に向かってメニューを選択することができ、ユーザーの使い勝手を向上することができる。
【０１７１】
また押圧操作可能な主の回転操作子に加えて、側面に押圧操作可能な副の回転操作子を設け、この副の回転操作子では主の回転操作子により受け付ける操作のうち、コンテンツの処理に係る特定の操作だけ受け付けることにより、ブラインドタッチに適した操作については、副の回転操作子側でも操作することができ、ユーザーによる使い勝手を向上することができる。
【０１７２】
すなわちこの副の回転操作子の回転操作で音楽コンテンツを切り換えることにより、また押圧操作によりリストを表示してユーザーによる選択を受け付けることにより、所望する音楽コンテンツを簡易に選択してユーザーの使い勝手を向上することができる。
【実施例２】
【０１７３】
なお上述の実施例においては、操作子の操作によりコンテンツと地図とで表示を切り換える場合について述べたが、本発明はこれに限らず、これに加えて、又は地図に代えて、静止画との間で表示を切り換える場合等にも広く適用することができる。
【０１７４】
なお上述の実施例においては、２画面表示における比率の設定により、地図を表示する領域の大きさと映像コンテンツを表示する領域の大きさとをまとめて設定する場合について述べたが、本発明はこれに限らず、個々に設定するようにしてもよい。
【０１７５】
また上述の実施例においては、ソース毎に２画面表示における地図と映像コンテンツとを表示する領域の設定を受け付け、さらにはソース毎に２画面表示か否かを記録する場合について述べたが、本発明はこれに限らず、これらの設定、記録を省略してディフォルトの設定により２画面表示してもよい。
【０１７６】
また上述の実施例においては、ハードディスク装置に記録した映像、音楽コンテンツ、テレビジョン放送による映像コンテンツを提供する場合について述べたが、本発明はこれに限らず、種々のソースによる各種コンテンツを提供する場合にも広く適用することができる。
【０１７７】
また上述の実施例においては、押圧操作可能な回転操作子によりメニューの選択等を受け付ける場合について述べたが、本発明はこれに限らず、ジョイスティック等により操作を受け付ける場合にも広く適用することができる。
【０１７８】
また上述の実施例においては、本発明を車載装置に適用する場合について述べたが、本発明はこれに限らず、例えばＰＤＡ（Personal Digital Assistants ）、携帯電話等、種々のマルチメディア端末に広く適用することができる。
【産業上の利用可能性】
【０１７９】
本発明は、車載装置及びコンテンツ提供方法に関し、例えばナビゲーション装置の機能とビデオの再生機能とを有するマルチメディア端末に適用することができる。
【図面の簡単な説明】
【０１８０】
【図１】本発明の実施例による車載装置を周辺構成と共に示す斜視図である。
【図２】図１の車載装置のブロック図である。
【図３】図１の車載装置のリモートコマンダーを示す平面図及び側面図である。
【図４】図１の車載装置のタッチパネル用のプログラムメニュー画面を示す平面図である。
【図５】図１の車載装置のリモートコマンダー用のプログラムメニュー画面を示す平面図である。
【図６】図１の車載装置における映像コンテンツの提供に係るメイン画面とリスト画面とを示す平面図である。
【図７】図６のメイン画面におけるコントロールバーの説明に供する平面図である。
【図８】図１の車載装置における音楽コンテンツの提供に係るメイン画面を示す平面図である。
【図９】図１の車載装置における地図の表示を示す平面図である。
【図１０】図１の車載装置におけるナビゲーションの説明に供する平面図である。
【図１１】図９のメイン画面におけるメニューの説明に供する平面図である。
【図１２】図９のメイン画面における情報表示の説明に供する平面図である。
【図１３】ソースの操作子と地図の操作子との操作の説明に供する略線図である。
【図１４】ディスプレイの操作子の操作の説明に供する略線図である。
【図１５】２つのアプリケーションに係る表示画面を示す平面図である。
【符号の説明】
【０１８１】
１……車載装置、２Ａ、２Ｂ……クレードル、１３Ｐ〜１８Ｐ、１３Ｒ〜１８Ｒ、４２、４７、４８、５３〜５５……操作子、１１……表示画面、３３……コントローラ、３５……ハードディスク装置、３９……タッチパネル、４０……リモートコマンダー、４６……センタジョグ、５２……サイドジョグ
【図１】
2005098831.tif 000003
【図２】
2005098831.tif 000004
【図３】
2005098831.tif 000005
【図４】
2005098831.tif 000006
【図５】
2005098831.tif 000007
【図６】
2005098831.tif 000008
【図７】
2005098831.tif 000009
【図８】
2005098831.tif 000010
【図９】
2005098831.tif 000011
【図１０】
2005098831.tif 000012
【図１１】
2005098831.tif 000013
【図１２】
2005098831.tif 000014
【図１３】
2005098831.tif 000015
【図１４】
2005098831.tif 000016
【図１５】
2005098831.tif 000017